(57)【特許請求の範囲】
【請求項１】
被検体の撮像部位を複数のスライス又はスラブに分け、撮像期間に、前記撮像部位からデータを収集するＭＲＩ装置であって、
前記被検体の呼吸情報を取得する呼吸情報取得手段、
前記被検体の呼吸による体動が大きいか小さいかを判断する基準となるしきい値を決定するしきい値決定手段、
前記被検体の呼吸に同期して、前記撮像期間の中のデータ収集期間に前記撮像部位からデータを収集するデータ収集手段、
前記呼吸情報と前記しきい値とを用いて、前記データ収集期間に、前記被検体の呼吸による体動の大きい期間が含まれているか否かの判定を行う判定手段、および
前記判定手段が、前記データ収集期間に前記被検体の呼吸による体動の大きい期間が含まれていると判定した場合、前記データ収集期間に収集されたデータを取り直すデータ取直し手段、
を有するＭＲＩ装置。
【請求項２】
前記データ収集手段は、前記データ収集期間に、前記複数のスライス又はスラブのうちの少なくとも２つのスライス又はスラブからデータを収集する、請求項１に記載のＭＲＩ装置。
【請求項３】
被検体の撮像部位を複数のスライス又はスラブに分け、撮像期間に、前記撮像部位からデータを収集するＭＲＩ装置であって、
前記被検体の呼吸情報を取得する呼吸情報取得手段、
前記被検体の呼吸による体動が大きいか小さいかを判断する基準となるしきい値を決定するしきい値決定手段、
前記被検体の呼吸に同期して、前記撮像期間の中のデータ収集期間に前記撮像部位からデータを収集するデータ収集手段、
前記呼吸情報と前記しきい値とを用いて、前記データ収集期間に、前記被検体の呼吸による体動の大きい期間が含まれているか否かの判定を行う判定手段、
前記判定手段が、前記データ収集期間に前記被検体の呼吸による体動の大きい期間が含まれていると判定した場合、前記ＭＲＩ装置の操作者が前記データ収集期間に収集されたデータを取り直すか否かを判断するのに使用される取直し判断情報を表示する表示手段、および
前記操作者の操作に応じて、前記データ収集期間に収集されたデータを取り直すか否かを決定する取直し決定手段、
を有し、
前記取直し決定手段が、前記データ収集期間に収集されたデータを取り直すと決定した場合、前記データ収集手段は、再撮像期間に、前記データ収集期間に収集されたデータを取り直す、ＭＲＩ装置。
【請求項４】
前記判定手段が、前記データ収集期間に、前記被検体の呼吸による体動が大きい期間が含まれていると判定した場合、前記データ収集期間に収集されたデータを、前記被検体の呼吸による体動の影響を受けたＮＧデータと記録する記録手段、
を有する請求項３に記載のＭＲＩ装置。
【請求項５】
前記判定手段が、前記データ収集期間に、前記被検体の呼吸による体動が大きい期間が含まれていると判定した場合、前記記録手段は、前記データ収集期間に収集されたデータのスライス番号およびｋ空間のライン番号を記録する、請求項４に記載のＭＲＩ装置。
【請求項６】
前記取直し判断情報は、前記撮像期間に収集された全データに対する前記ＮＧデータの割合である、請求項４又は５に記載のＭＲＩ装置。
【請求項７】
前記取直し判断情報は、前記ＮＧデータを取り直すのに必要な撮像時間である、請求項４又は５に記載のＭＲＩ装置。
【請求項８】
前記データ収集手段は、前記データ収集期間に、前記複数のスライス又はスラブのうちの少なくとも２つのスライス又はスラブからデータを収集する、請求項３に記載のＭＲＩ装置。
【請求項９】
前記取直し判断情報は、前記複数のスライス又はスラブのうち、前記被検体の呼吸による体動が大きい期間にデータの収集が行われたスライス又はスラブの枚数である、請求項８に記載のＭＲＩ装置。
【請求項１０】
前記ＭＲＩ装置は、前記データ収集手段により収集したデータを用いて画像を再構成する画像再構成手段を有しており、
前記取直し判断情報は、前記画像再構成手段により再構成された画像である、請求項３に記載のＭＲＩ装置。
【請求項１１】
前記撮像期間は、複数のデータ収集期間を有しており、
前記判定手段は、前記複数のデータ収集期間の各々について、前記被検体の呼吸による体動の大きい期間が含まれているか否かの判定を行う、請求項１又は３に記載のＭＲＩ装置。
【請求項１２】
前記呼吸情報取得手段は、前記被検体の呼吸を検出し、呼吸信号を出力するベローズを有する、請求項１〜１１のうちいずれか一項に記載のＭＲＩ装置。
【請求項１３】
前記判定手段は、
前記データ収集期間の終了時刻における前記呼吸信号のレベルが、前記被検体の呼吸による体動が大きいか小さいかの基準となるしきい値を超えているかどうかを判定する、請求項１２に記載のＭＲＩ装置。
【請求項１４】
前記判定手段は、
前記データ収集期間が終了する前に、前記呼吸信号のレベルが、前記被検体の呼吸による体動が大きいか小さいかの基準となるしきい値を超えたかどうかを判定する、請求項１２に記載のＭＲＩ装置。
【請求項１５】
前記判定手段は、前記呼吸信号のレベルが前記しきい値に到達したしきい値到達時刻と、前記データ収集期間が終了した終了時刻とを比較する、請求項１４に記載のＭＲＩ装置。
【請求項１６】
前記呼吸情報取得手段は、ナビゲータエコー法により前記被検体から呼吸データを取得する、請求項１〜１１のうちのいずれか一項に記載のＭＲＩ装置。
【請求項１７】
前記呼吸情報取得手段は、前記データ収集期間の開始前および前記データ収集期間の終了後、前記被検体からナビゲータエコーを収集することにより前記被検体から呼吸データを取得する、請求項１６に記載のＭＲＩ装置。
【発明の詳細な説明】
【技術分野】
【０００１】
本発明は、呼吸同期法を用いたＭＲＩ装置に関する。
【背景技術】
【０００２】
従来より、被検体の撮像部位を複数のスライス（又は複数のスラブ）に分け、データの収集開始を呼吸を同期させ、被検体の呼吸による体動が小さい間にスライス（又はスラブ）からデータを収集することが行われている。
【特許文献１】特開２００６−１５８７６２号公報
【発明の開示】
【発明が解決しようとする課題】
【０００３】
しかし、被検体の呼吸が乱れるなどの理由で、スライス（又はスラブ）からデータを収集している間に呼吸による体動が大きくなることがある。この場合、体動が大きい期間に収集されたスライス（又はスラブ）のデータも、画像再構成に使用されるので、ＭＲ画像に体動アーチファクトが生じる。したがって、データを収集している間に体動が大きくなった場合は、データの取直しができることが望ましい。
【０００４】
本発明は、上記の事情に鑑み、データの取直しが可能なＭＲＩ装置を提供することを目的とする。
【課題を解決するための手段】
【０００５】
上記の問題を達成する本発明の第１のＭＲＩ装置は、
被検体の撮像部位を複数のスライス又はスラブに分け、撮像期間に、前記撮像部位からデータを収集するＭＲＩ装置であって、
前記被検体の呼吸情報を取得する呼吸情報取得手段、
前記被検体の呼吸による体動が大きいか小さいかを判断する基準となるしきい値を決定するしきい値決定手段、
前記被検体の呼吸に同期して、前記撮像期間の中のデータ収集期間に前記撮像部位からデータを収集するデータ収集手段、
前記呼吸情報と前記しきい値とを用いて、前記データ収集期間に、前記被検体の呼吸による体動の大きい期間が含まれているか否かの判定を行う判定手段、および
前記判定手段が、前記データ収集期間に前記被検体の呼吸による体動の大きい期間が含まれていると判定した場合、前記データ収集期間に収集されたデータを取り直すデータ取直し手段、
を有している。
【０００６】
上記の問題を達成する本発明の第２のＭＲＩ装置は、
被検体の撮像部位を複数のスライス又はスラブに分け、撮像期間に、前記撮像部位からデータを収集するＭＲＩ装置であって、
前記被検体の呼吸情報を取得する呼吸情報取得手段、
前記被検体の呼吸による体動が大きいか小さいかを判断する基準となるしきい値を決定するしきい値決定手段、
前記被検体の呼吸に同期して、前記撮像期間の中のデータ収集期間に前記撮像部位からデータを収集するデータ収集手段、
前記呼吸情報と前記しきい値とを用いて、前記データ収集期間に、前記被検体の呼吸による体動の大きい期間が含まれているか否かの判定を行う判定手段、
前記判定手段が、前記データ収集期間に前記被検体の呼吸による体動の大きい期間が含まれていると判定した場合、前記ＭＲＩ装置の操作者が前記データ収集期間に収集されたデータを取り直すか否かを判断するのに使用される取直し判断情報を表示する表示手段、および
前記操作者の操作に応じて、前記データ収集期間に収集されたデータを取り直すか否かを決定する取直し決定手段、
を有し、
前記取直し決定手段が、前記データ収集期間に収集されたデータを取り直すと決定した場合、前記データ収集手段は、再撮像期間に、前記データ収集期間に収集されたデータを取り直すものである。
【０００７】
上記の目的を達成する本発明のデータ取直し方法は、
ＭＲＩ装置を用いて被検体の撮像部位から収集したデータを取り直すか否かを決定するデータ取直し決定方法であって、
前記被検体の呼吸情報を取得する呼吸情報取得ステップ、
前記被検体の呼吸による体動が大きいか小さいかを判断する基準となるしきい値を決定するしきい値決定ステップ、
前記被検体の呼吸に同期して、前記撮像期間の中のデータ収集期間に前記撮像部位からデータを収集するデータ収集ステップ、
前記呼吸情報と前記しきい値とを用いて、前記データ収集期間に、前記被検体の呼吸による体動の大きい期間が含まれているか否かの判定を行う判定ステップ、
前記判定ステップにより、前記データ収集期間に前記被検体の呼吸による体動の大きい期間が含まれていると判定した場合、前記ＭＲＩ装置の操作者が前記データ収集期間に収集されたデータを取り直すか否かを判断するのに使用される取直し判断情報を表示する表示ステップ、および
前記操作者の操作に応じて、前記データ収集期間に収集されたデータを取り直すか否かを決定する取直し決定ステップ、
を有している。
【発明の効果】
【０００８】
本発明の第１のＭＲＩ装置は、前記データ収集期間に前記被検体の呼吸による体動の大きい期間が含まれていると判定された場合、前記データ収集期間に収集されたデータを取り直すデータ取直し手段を備えている。したがって、体動の影響を受けていると考えられるデータは取り直され、この取り直されたデータが画像再構成用のデータとして使用される。このため、体動アーチファクトの低減されたＭＲ画像を取得することができる。
【０００９】
本発明の第２のＭＲＩ装置は、データ収集期間に収集されたデータを取り直すと決定した場合、再撮像期間にデータが取り直される。したがって、体動の影響を受けていると考えられるデータは取り直され、この取り直されたデータが画像再構成用のデータとして使用される。このため、体動アーチファクトの低減されたＭＲ画像を取得することができる。
【発明を実施するための最良の形態】
【００１０】
以下、図面を参照しながら、発明を実施するための最良の形態を詳細に説明する。尚、本発明は、発明を実施するための最良の形態に限定されるものではない。
【００１１】
１．第１の実施形態
図１は、本発明の第１の実施形態によるＭＲＩ（Magnetic Resonance Imaging）装置１００のブロック図である。
【００１２】
ＭＲＩ装置１００は、マグネットアセンブリ１０１を有している。マグネットアセンブリ１０１は、被検体１０を挿入するためのボア１１４を有している。また、マグネットアセンブリ１０１は、静磁場コイル１０１Ｃと、勾配コイル１０１Ｇと、送信コイル１０１Ｔと、を有している。
【００１３】
静磁場コイル１０１Ｃはボア１１４内に一定の静磁場を印加する。勾配コイル１０１Ｇは、勾配コイル駆動回路１０３に接続されており、Ｘ軸，Ｙ軸，Ｚ軸の勾配磁場を発生する。送信コイル１０１Ｔは、ＲＦ電力増幅器１０４に接続されており、ボア１１４内にＲＦパルスを供給する。
【００１４】
また、ＭＲＩ装置１００は、ベローズ１０２を有している。ベローズ１０２は、被検体１０の呼吸を検出し、呼吸信号Ｓrを計算機１０７に送信する。計算機１０７は、受け取った呼吸信号Ｓrに基づいて、被検体１０の呼吸状態を計算し、計算結果をシーケンサ１０８に出力する。
【００１５】
シーケンサ１０８は、計算機１０７から受け取った命令に従って、勾配コイル駆動回路１０３およびゲート変調回路１０９を制御する。勾配コイル駆動回路１０３は、シーケンサ１０８からの指令に従って、勾配コイル１０１Ｇを駆動し、この結果、勾配コイル１０１Ｇは被検体１０に勾配パルスを印加する。ゲート変調回路１０９は、シーケンサ１０８からの指令に従って、ＲＦ発振回路１１０からの搬送波を変調し、その変調信号をＲＦ電力増幅器１０４に出力する。ＲＦ電力増幅器１０４は、変調信号をパワー増幅した後、送信コイル１０１Ｔに印加し、この結果、送信コイル１０１Ｔは被検体１０に送信パルスを印加する。
【００１６】
また、ＭＲＩ装置１００は受信コイル１０１Ｒを有している。受信コイル１０１Ｒは、前置増幅器１０５に接続されており、被検体１０からのＭＲ信号を受信する。このＭＲ信号は前置増幅器１０５によって増幅され、レシーバ１１２に供給される。レシーバ１１２は、増幅されたＭＲ信号をデジタル信号に変換し、計算機１０７に出力する。
【００１７】
計算機１０７は、レシーバ１１２からのデジタル信号に基づいて画像を再構成する。再構成された画像は、表示装置１０６に表示される。
【００１８】
次に、上記のように構成されたＭＲＩ装置１００の撮像動作について説明する。
【００１９】
図２は、計算機１０７の機能ブロック図の一例である。
【００２０】
計算機１０７は、しきい値決定部１１と、データ収集期間開始部１２と、スライス選択部１３と、カウント部１４と、データ収集期間終了部１５と、体動判定部１６と、データ取直し決定部１７と、を有している。
【００２１】
しきい値決定部１１は、被検体１０の呼吸信号Ｓrから、被検体１０の呼吸による体動が大きいか小さいかの基準となるしきい値ＴＨを決定する。データ収集期間開始部１２は、呼吸信号Ｓrに基づいて、データの収集を開始するタイミングを制御する。スライス選択部１３は、データが収集されるスライス位置を制御する。カウント部１４は、データの収集が終了したスライスの枚数をカウントする。データ収集期間終了部１５は、カウント部１４のカウント値が所定値に到達した場合、データ収集期間を終了させる。体動判定部１６は、データ収集期間に体動の大きい期間が含まれているか否かを判定する。データ取直し決定部１７は、データを取り直すかどうかを決定する。
【００２２】
次に、第１の実施形態におけるＭＲＩ装置１００の処理の流れについて説明する。
【００２３】
図３は、第１の実施形態におけるＭＲＩ装置１００のフローチャートの一例である。
【００２４】
被検体１０を撮像する前に、ステップＳ１１において、被検体１０の呼吸信号Ｓrを取得し、取得した呼吸信号Ｓrから、被検体１０の呼吸による体動が大きいか小さいかの基準となるしきい値ＴＨを決定する。
【００２５】
図４は、しきい値ＴＨの決定方法の一例の説明図である。
【００２６】
ステップＳ１１において、計算機１０７は、ベローズ１０２から呼吸信号Ｓrを受け取る。計算機１０７は、呼吸信号Ｓrから、呼吸周期ごとに、呼吸信号Ｓrの最小値MIN1、MIN2、MIN3、・・・と、最大値MAX1、MAX2、MAX3、・・・と、を算出する。その後、計算機１０７は、最小値MIN1、MIN2、MIN3、・・・の平均値MINaveと、最大値MAX1、MAX2、MAX3、・・・の平均値MAXaveと、を算出する。計算機１０７は、算出したMINaveとMAXaveとの中間値を計算し、この中間値を、呼吸による体動が大きいか小さいかの基準となるしきい値ＴＨとする。尚、ここでは、MINaveとMAXaveとの中間値をしきい値ＴＨとしているが、例えば、中間値よりも小さい値又は大きい値をしきい値として採用してもよい。
【００２７】
ステップＳ１１終了後、ステップＳ１２においてデータを収集し、ステップＳ１３において、画像を表示する。以下に、ステップＳ１２の処理について、詳しく説明する。
【００２８】
ステップＳ１２では、被検体１０の撮像部位１０ａからデータを収集する。
【００２９】
図５は、被検体１０の撮像部位１０ａを示す図である。
【００３０】
撮像部位１０ａは、Ｎ枚のスライスに分割される。第１の実施形態では、撮像部位１０ａは、２０枚のスライス（Ｎ＝２０）に分割される。ただし、スライスの枚数は、２０枚に限定されることはなく、２０枚より多くする又は少なくすることも可能である。
【００３１】
また、撮像部位１０ａは、呼吸信号ＳrのＲ周期を繰返時間ＴＲとして撮像される。また、呼吸信号Ｓrの各周期の間に、ｎ枚のスライスからデータが収集される。第１の実施形態では、呼吸信号Ｓrの２周期（Ｒ＝２）を繰返時間ＴＲとして撮像される。更に、呼吸信号Ｓrの２周期（Ｒ＝２）のうちの最初の１周期の間に、１０枚のスライス（スライス番号ｂ＝１〜１０）からデータが収集され、次の１周期の間に、残りの１０枚のスライス（スライス番号ｂ＝１１〜２０）からデータが収集される。第１の実施形態では、各周期の間に、１０枚のスライスからデータが収集されているが、データが収集されるスライスの枚数は、呼吸信号Ｓrの各周期で異なっていてもよい。
【００３２】
図６は、ステップＳ１２において実行されるデータ収集のフローチャートの一例であり、図７は、図６のフローチャートを実行することにより、各スライスからどのようなタイミングでデータが収集されるのかを説明する図である。
【００３３】
以下に、図６のフローチャートについて、図７を参照しながら説明する。
【００３４】
ステップＳ１２１において、パラメータｖの初期化が行われる。ｖは、ｋ空間のライン番号（後述する図８参照）を規定するパラメータである。ステップＳ１２１において、ライン番号ｖは、ｖ＝１に設定される。次に、ステップＳ１２２に進む。
【００３５】
ステップＳ１２２において、パラメータｒ、ＮＳ、およびｂの初期化が行われる。ｒは、呼吸信号の呼吸周期を規定するパラメータである。ＮＳは、各呼吸周期において、データが収集されたスライスの枚数（以下、「データ収集済スライス枚数」と呼ぶ）を規定するパラメータである。ｂは、スライスの番号を規定するパラメータである。ステップＳ１２２において、呼吸周期ｒ、データ収集済スライス枚数ＮＳ、およびスライス番号ｂは、それぞれｒ＝１、ＮＳ＝０、ｂ＝１に初期化される。その後、ステップＳ１２３に進む。
【００３６】
ステップＳ１２３では、データ収集期間が開始される。最初に、データ収集期間Ｐ１（図７参照）が開始される。データ収集期間Ｐ１は、呼吸信号ＳrのピークＡ１から、一定の遅延時間Ｔdが経過した時点で、開始される。
【００３７】
尚、遅延時間Ｔdは、被検体１０の呼吸特性を考慮して、被検体１０の呼吸による体動が小さい間（即ち、呼吸信号Ｓrがしきい値ＴＨよりも小さい間）にデータ収集期間が開始されるように設定されている。
【００３８】
データ収集期間Ｐ１が開始されると、ステップＳ１２４において、ｂ番目のスライスから、ｋ空間のｖ番目のラインのデータが収集される。
【００３９】
図８は、ｋ空間の概念図である。
【００４０】
各スライスのｋ空間は、Ｖ0個のラインから構成されている。第1の実施形態では、Ｖ0＝１２８であるが、別の値とすることもできる。呼吸周期ｒがｒ＝１の場合、１番目〜１０番目のスライスからデータが収集される。スライス番号ｂおよびライン番号ｖは、それぞれｂ＝１およびｖ＝１に設定されているので、データ収集期間Ｐ１では、先ず、１番目のスライスから、ｋ空間の１番目のラインのデータが収集される。その後、ステップＳ１２５に進む。
【００４１】
ステップＳ１２５では、データ収集済スライス枚数ＮＳがインクリメントされる。データ収集期間Ｐ１の開始時点では、ＮＳ＝０であるので（ステップＳ１２２参照）、ＮＳがインクリメントされることにより、ＮＳ＝１に更新される。ＮＳを更新した後、ステップＳ１２６に進む。
【００４２】
ステップＳ１２６では、データ収集済スライス枚数ＮＳがｎ枚に到達したか否かが判断される。第１の実施形態では、ｎ＝１０であるので、ＮＳ＝ｎ＝１０に到達したか否かが判断される。ＮＳ＝１０と判断された場合、ステップＳ１２８に進み、データ収集期間（ここでは、データ収集期間Ｐ１）が終了する。一方、ステップＳ１２６において、ＮＳ＝１０にまだ到達していないと判断された場合は、ステップＳ１２７に進む。
【００４３】
１番目のスライスから、ｋ空間の１番目のラインのデータが収集された時点では、データが収集されたスライスの枚数ＮＳは、ＮＳ＝１である。したがって、ＮＳ＝１０に到達していないので、ステップＳ１２６からステップＳ１２７に進む。
【００４４】
ステップＳ１２７では、ライン番号ｖは更新されないが、スライス番号ｂは更新される。したがって、ライン番号ｖはｖ＝１のままであるが、スライス番号ｂはｂ＝２に更新される。その後、ステップＳ１２４に戻る。
【００４５】
ステップＳ１２４では、ｂ＝２およびｖ＝１であるので、２番目のスライス（ｂ＝２）から、ｋ空間の１番目のライン（ｖ＝１）のデータが収集される。以下、同様に、ステップＳ１２４〜ステップＳ１２７のステップが繰返し実行され、３番目のスライス、・・・１０番目のスライスから、ｋ空間の１番目のラインのデータが収集される。各スライスからデータが収集されるたびに、データ収集済スライス枚数ＮＳが更新される。ステップＳ１２４において１０番目のスライスからｋ空間の１番目のラインのデータが収集されると、ステップＳ１２５においてＮＳ＝１０に更新され、ステップＳ１２６に進む。
【００４６】
１番目〜１０番目のスライスからデータが収集されたので、ステップＳ１２６において、データ収集済スライス枚数ＮＳ＝ｎ（＝１０）と判断され、ステップＳ１２８に進み、データ収集期間Ｐ１が終了する（図７の時刻ｔ1参照）。
【００４７】
データ収集期間Ｐ１が終了すると、ステップＳ１２９に進む。
【００４８】
ステップＳ１２９では、各データ収集期間の終了時刻ｔe（ｅ＝１、２、３、・・・ｚ）における呼吸信号ＳrのレベルＬr（ｒ＝１、２、３、・・・ｚ）と、しきい値ＴＨと、が比較される。この比較結果から、データ収集期間に収集されたデータが、画像再構成に使用することができる有効データであるのか、それとも画像再構成に使用することができないＮＧデータであるかが判断される。ここでは、データ収集期間Ｐ１が終了しているので、データ収集期間Ｐ１の終了時刻ｔ1における呼吸信号ＳrのレベルＬ１と、しきい値ＴＨと、が比較される。
【００４９】
Ｌ１とＴＨとを比較すると、図７に示すように、Ｌ１はＴＨよりも小さく、このため、Ｌ１＜ＴＨと判断される。Ｌ１＜ＴＨは、呼吸信号Ｓrがしきい値ＴＨを超える前に、データ収集期間Ｐ１が終了したことを意味する。したがって、データ収集期間Ｐ１は、呼吸による体動の大きい期間を含んでいないと判断される。この場合、データ収集期間Ｐ１に収集されたデータは、呼吸による体動の影響が少なく画像再構成に使用することができる有効データであると判断される。その後、ステップＳ１３０に進み、データ収集期間Ｐ１に収集されたデータは「有効データ」であると記録される。この記録をした後、ステップＳ１３１に進む。
【００５０】
ステップＳ１３１では、呼吸周期ｒ＝Ｒであるか否かが判断される。ｒ＝Ｒの場合、ステップＳ１３３に進み、ｒ＝Ｒでなければ、ステップＳ１３２に進む。第１の実施形態では、Ｒ＝２であるので、呼吸周期ｒ＝２であるか否かが判断される。データ収集期間Ｐ１が終了した時点では、ｒ＝１であるので（図７参照）、ステップＳ１３２に進む。
【００５１】
ステップＳ１３２では、ライン番号ｖは更新されないが、呼吸周期ｒおよびスライス番号ｂが更新される。データ収集期間Ｐ１が終了した時点では、呼吸周期ｒ、スライス番号ｂ、およびライン番号ｖは、それぞれｒ＝１、ｂ＝１０、およびｖ＝１である（図７参照）。したがって、ステップＳ１３２を実行することによって、呼吸周期ｒ、スライス番号ｂ、およびライン番号ｖは、それぞれｒ＝２、ｂ＝１１、およびｖ＝１に設定される。また、データ収集済スライス枚数ＮＳはゼロにリセットされる。ステップＳ１３２の後、ステップＳ１２３に戻る。
【００５２】
ステップＳ１２３に戻ると、次のデータ収集期間Ｐ２が開始され、ステップＳ１２４に進む。
【００５３】
ステップＳ１２４では、ｂ番目のスライスから、ｋ空間のｖ番目のラインのデータが収集される。データ収集期間Ｐ２では、呼吸周期ｒ＝２である。呼吸周期ｒがｒ＝２の場合、１１番目〜２０番目のスライスからデータが収集される。スライス番号ｂおよびライン番号ｖは、それぞれｂ＝１１およびｖ＝１であるので、データ収集期間Ｐ２では、先ず、１１番目のスライスから、ｋ空間の１番目のラインのデータが収集される。その後、ステップＳ１２６に進む。
【００５４】
ステップＳ１２６では、データ収集済スライス枚数ＮＳがｎ枚に到達したか否かが判断される。第１の実施形態では、ｎ＝１０であるので、ＮＳ＝１０に到達したか否かが判断される。１１番目のスライスから、ｋ空間の１番目のラインのデータが収集された時点では、データが収集されたスライスの枚数ＮＳは、ＮＳ＝１である。したがって、ＮＳ＝１０に到達していないので、ステップＳ１２６からステップＳ１２７に進む。
【００５５】
ステップＳ１２７において、スライス番号ｂがｂ＝１２に更新され、ステップＳ１２４に戻る。ステップＳ１２４では、１２番目のスライスから、ｋ空間の１番目のラインのデータが収集される。以下、同様に、ステップＳ１２４〜ステップＳ１２７のループが繰返し実行され、１３番目のスライス、・・・２０番目のスライスから、ｋ空間の１番目のラインのデータが収集される。各スライスからデータが収集されるたびに、データ収集済スライス枚数ＮＳが更新される。ステップＳ１２４において２０番目のスライスからｋ空間の１番目のラインのデータが収集されると、ステップＳ１２５においてＮＳ＝１０に更新され、ステップＳ１２６に進む。ステップＳ１２６において、データ収集済スライス枚数ＮＳ＝ｎ（＝１０）と判断され、ステップＳ１２８に進み、データ収集期間Ｐ２（図７の時刻ｔ2参照）が終了する。
【００５６】
データ収集期間Ｐ２が終了すると、ステップＳ１２９に進む。
【００５７】
ステップＳ１２９では、データ収集期間Ｐ２の終了時刻ｔ2における呼吸信号ＳrのレベルＬ２と、しきい値ＴＨと、が比較される。この比較結果から、データ収集期間Ｐ２に収集されたデータが、画像再構成に使用することができる有効データであるのか、それとも画像再構成に使用することができないＮＧデータであるのかが判断される。
【００５８】
Ｌ２とＴＨとを比較すると、図７に示すように、Ｌ２はＴＨよりも小さく、このため、Ｌ２＜ＴＨと判断される。Ｌ２＜ＴＨは、呼吸信号Ｓrがしきい値ＴＨを超える前に、データ収集期間Ｐ２が終了したことを意味する。したがって、データ収集期間Ｐ２は、呼吸による体動の大きい期間を含んでいないと判断される。この場合、データ収集期間Ｐ２に収集されたデータは、呼吸による体動の影響が少なく画像再構成に使用することができる有効データであると判断される。その後、ステップＳ１３０に進み、データ収集期間Ｐ２に収集されたデータは「有効データ」であると記録される。「有効データ」であると記録をした後、ステップＳ１３１に進む。
【００５９】
ステップＳ１３１では、呼吸周期ｒ＝Ｒ（＝２）であるか否かが判断される。データ収集期間Ｐ２が終了した時点では、ｒ＝Ｒ（＝２）であるので（図７参照）、ステップＳ１３３に進む。
【００６０】
ステップＳ１３３では、繰返時間ＴＲに収集されたデータにＮＧデータが存在しているか否かが判断される。繰返時間ＴＲのデータ収集期間Ｐ１およびＰ２に収集されたデータは、図７に示すように、いずれも有効データと判断されている。したがって、ステップＳ１３３では、ＮＧデータは存在していないと判断され、ステップＳ１３５に進む。
【００６１】
ステップＳ１３５では、ライン番号ｖ＝Ｖ0であるか否かが判断される。第１の実施形態では、Ｖ0＝１２８であるので（図８参照）、ライン番号ｖ＝１２８であるか否かが判断される。ライン番号ｖ＝１２８の場合、全てのスライスから、ｋ空間の全ライン１〜１２８のデータを収集したと判断され、データ収集を終了する。一方、ｖ＝１２８ではない場合、収集されていないデータがまだ存在するので、データの収集を続行するために、ステップＳ１３６に進む。データ収集期間Ｐ２が終了した時点では、ｖ＝１であるので（図７の時刻ｔ2参照）、ステップＳ１３６に進む。
【００６２】
ステップＳ１３６では、ライン番号ｖが更新される。データ収集期間Ｐ２が終了した時点では、ライン番号ｖはｖ＝１である（図７の時刻ｔ2参照）。したがって、ステップＳ１３６を実行することによって、ライン番号ｖはｖ＝２に設定される。また、呼吸周期ｒおよびスライス番号ｂが１にリセットされ、データ収集済スライス枚数ＮＳがゼロにリセットされる。ステップＳ１３６の後、ステップＳ１２３に戻る。
【００６３】
ステップＳ１２３に戻ると、次のデータ収集期間Ｐ３が開始され、ステップＳ１２４に進む。データ収集期間Ｐ３の開始時点では、呼吸周期ｒ＝１、スライス番号ｂ＝１、およびライン番号ｖ＝２であるので、ステップＳ１２４〜Ｓ１２７が繰返し実行されることにより、１番目〜１０番目のスライスから、ｋ空間の２番目のラインのデータが順に収集される。各スライスからデータが収集されるたびに、データ収集済スライス枚数ＮＳが更新される。ステップＳ１２４において１０番目のスライスからｋ空間の２番目のラインのデータが収集されると、ステップＳ１２５においてＮＳ＝１０に更新され、ステップＳ１２６に進む。ステップＳ１２６において、データ収集済スライス枚数ＮＳ＝ｎ（＝１０）と判断され、ステップＳ１２８に進み、データ収集期間Ｐ３（図７の時刻ｔ3参照）が終了する。
【００６４】
データ収集期間Ｐ３が終了すると、ステップＳ１２９に進む。
【００６５】
ステップＳ１２９では、データ収集期間Ｐ３の終了時刻ｔ3における呼吸信号ＳrのレベルＬ３と、しきい値ＴＨと、が比較される。この比較結果から、データ収集期間Ｐ３に収集されたデータが、画像再構成に使用することができる有効データであるのか、それとも画像再構成に使用することができないＮＧデータであるのかが判断される。
【００６６】
Ｌ３とＴＨとを比較すると、図７に示すように、Ｌ３はＴＨよりも大きく、このため、Ｌ３＞ＴＨと判断される。Ｌ３＞ＴＨは、データ収集期間Ｐ３が終了する前に、呼吸信号Ｓrがしきい値ＴＨを超えたことを意味する。したがって、データ収集期間Ｐ３は、呼吸による体動の大きい期間Ｍを含んでいると判断される。この場合、データ収集期間Ｐ３に収集されたデータを画像再構成のデータに使用してしまうと、ＭＲ画像上の体動アーチファクトが大きくなる恐れがある。そこで、データ収集期間Ｐ３に収集されたデータは、呼吸による体動の影響を大きく受けており画像再構成に使用することができないＮＧデータであると判断される。その後、ステップＳ１３０に進み、データ収集期間Ｐ３に収集されたデータは「ＮＧデータ」であると記録される。「ＮＧデータ」と記録した後、ステップＳ１３１に進む。
【００６７】
ステップＳ１３１では、呼吸周期ｒ＝Ｒ（＝２）であるか否かが判断される。データ収集期間Ｐ３が終了した時点では、ｒ＝１であるので（図７参照）、まだ、ｒ＝Ｒ（＝２）には到達していない。したがって、ステップＳ１３２に進む。
【００６８】
ステップＳ１３２では、ライン番号ｖは更新されないが、呼吸周期ｒおよびスライス番号ｂが更新される。データ収集期間Ｐ３が終了した時点では、呼吸周期ｒ、スライス番号ｂ、およびライン番号ｖは、それぞれｒ＝１、ｂ＝１０、およびｖ＝２である（図７参照）。したがって、ステップＳ１３２を実行することによって、呼吸周期ｒ、スライス番号ｂ、およびライン番号ｖは、それぞれｒ＝２、ｂ＝１１、およびｖ＝２に設定される。また、データ収集済スライス枚数ＮＳはゼロにリセットされる。ステップＳ１３２の後、ステップＳ１２３に戻る。
【００６９】
ステップＳ１２３に戻ると、次のデータ収集期間Ｐ４が開始され、ステップＳ１２４に進む。データ収集期間Ｐ４の開始時点では、呼吸周期ｒ＝２、スライス番号ｂ＝１１、およびライン番号ｖ＝２であるので、ステップＳ１２４〜Ｓ１２７が繰返し実行されることにより、１１番目〜２０番目のスライスから、ｋ空間の２番目のラインのデータが順に収集される。各スライスからデータが収集されるたびに、データ収集済スライス枚数ＮＳが更新される。ステップＳ１２４において２０番目のスライスからｋ空間の２番目のラインのデータが収集されると、ステップＳ１２５においてＮＳ＝１０に更新され、ステップＳ１２６に進む。ステップＳ１２６において、データ収集済スライス枚数ＮＳ＝ｎ（＝１０）と判断され、ステップＳ１２８に進み、データ収集期間Ｐ４（図７の時刻ｔ4参照）が終了する。
【００７０】
データ収集期間Ｐ４が終了すると、ステップＳ１２９に進む。
【００７１】
ステップＳ１２９では、データ収集期間Ｐ４の終了時刻ｔ4における呼吸信号ＳrのレベルＬ４と、しきい値ＴＨと、が比較される。
【００７２】
Ｌ４とＴＨとを比較すると、図７に示すように、Ｌ４はＴＨよりも小さく、このため、Ｌ４＜ＴＨと判断される。Ｌ４＜ＴＨは、呼吸信号Ｓrがしきい値ＴＨを超える前に、データ収集期間Ｐ４が終了したことを意味する。したがって、データ収集期間Ｐ４は、呼吸による体動の大きい期間を含んでいないと判断される。この場合、データ収集期間Ｐ４に収集されたデータは、呼吸による体動の影響が少なく画像再構成に使用することができる有効データであると判断される。その後、ステップＳ１３０に進み、データ収集期間Ｐ４に収集されたデータは「有効データ」であると記録される。「有効データ」であると記録をした後、ステップＳ１３１に進む。
【００７３】
ステップＳ１３１では、呼吸周期ｒ＝Ｒ（＝２）であるか否かが判断される。データ収集期間Ｐ４が終了した時点では、ｒ＝Ｒ（＝２）であるので（図７参照）、ステップＳ１３３に進む。
【００７４】
ステップＳ１３３では、繰返時間ＴＲに収集されたデータにＮＧデータが存在しているか否かが判断される。繰返時間ＴＲの後半のデータ収集期間Ｐ４に収集されたデータは、図７に示すように、有効データと判断されているが、繰返時間ＴＲの前半のデータ収集期間Ｐ３に収集されたデータは、ＮＧデータと判断されている。したがって、ステップＳ１３３では、ＮＧデータが存在していると判断される。データ収集期間Ｐ３に収集されたデータを画像再構成用のデータとして使用すると、ＭＲ画像上の体動アーチファクトが大きくなる恐れがある。そこで、データの取直しが実行される。データ収集期間Ｐ３およびＰ４を比較すると、データ収集期間Ｐ３に収集されたデータのみがＮＧデータであり、データ収集期間Ｐ４に収集されたデータは有効データである。しかし、第１の実施形態では、繰返時間ＴＲを一定に保つ目的で、データ収集期間Ｐ３に収集されたデータだけでなく、データ収集期間Ｐ４に収集されたデータも、取り直される。データを取り直すため、ＮＧデータが存在していると判断された場合、ステップＳ１３３からステップＳ１３４に進む。
【００７５】
ステップＳ１３４では、ライン番号ｖは更新されない。したがって、ライン番号ｖはｖ＝２のままである。また、呼吸周期ｒおよびスライス番号ｂが１にリセットされ、データ収集済スライス枚数ＮＳがゼロにリセットされる。ステップＳ１３４の後、ステップＳ１２３に戻る。
【００７６】
ステップＳ１２３に戻ると、次のデータ収集期間Ｐ５が開始され、ステップＳ１２４に進む。データ収集期間Ｐ５の開始時点では、呼吸周期ｒ＝１、スライス番号ｂ＝１、およびライン番号ｖ＝２であるので、ステップＳ１２４〜Ｓ１２７が繰返し実行されることにより、１番目〜１０番目のスライスから、ｋ空間の２番目のラインのデータが取り直される。各スライスからデータが取り直されるたびに、データ収集済スライス枚数ＮＳが更新される。ステップＳ１２４において１０番目のスライスからｋ空間の２番目のラインのデータが収集されると、ステップＳ１２５においてＮＳ＝１０に更新され、ステップＳ１２６に進む。ステップＳ１２６において、データ収集済スライス枚数ＮＳ＝ｎ（＝１０）と判断され、ステップＳ１２８に進み、データ収集期間Ｐ５（図７の時刻ｔ5参照）が終了する。
【００７７】
データ収集期間Ｐ５が終了すると、ステップＳ１２９に進む。
【００７８】
ステップＳ１２９では、データ収集期間Ｐ５の終了時刻ｔ5における呼吸信号ＳrのレベルＬ５と、しきい値ＴＨと、が比較される。
【００７９】
Ｌ５とＴＨとを比較すると、図７に示すように、Ｌ５はＴＨよりも小さく、このため、Ｌ５＜ＴＨと判断される。Ｌ５＜ＴＨは、呼吸信号Ｓrがしきい値ＴＨを超える前に、データ収集期間Ｐ５が終了したことを意味する。したがって、データ収集期間Ｐ５は、呼吸による体動の大きい期間を含んでいないと判断される。この場合、データ収集期間Ｐ５に収集されたデータを画像再構成に使用しても、ＭＲ画像上の体動アーチファクトは小さい。そこで、データ収集期間Ｐ５に取り直されたデータ（スライス番号ｂ＝１〜１０、ライン番号ｖ＝２）は、呼吸による体動の影響が小さく画像再構成に使用することができる有効データであると判断される。その後、ステップＳ１３０に進む。
【００８０】
ステップＳ１３０では、データ収集期間Ｐ５に取り直されたデータ（スライス番号ｂ＝１〜１０、ライン番号ｖ＝２）は「有効データ」であると記録される。また、データ収集期間Ｐ３に収集されたＮＧデータは消去される。その後、ステップＳ１３１に進む。
【００８１】
ステップＳ１３１では、呼吸周期ｒ＝Ｒ（＝２）であるか否かが判断される。データ収集期間Ｐ５が終了した時点では、ｒ＝１であるので（図７参照）、ステップＳ１３２に進む。
【００８２】
ステップＳ１３２では、ライン番号ｖは更新されないが、呼吸周期ｒおよびスライス番号ｂが更新される。データ収集期間Ｐ５が終了した時点では、呼吸周期ｒ、スライス番号ｂ、およびライン番号ｖは、それぞれｒ＝１、ｂ＝１０、およびｖ＝２である（図７参照）。したがって、ステップＳ１３２を実行することによって、呼吸周期ｒ、スライス番号ｂ、およびライン番号ｖは、それぞれｒ＝２、ｂ＝１１、およびｖ＝２に設定される。また、データ収集済スライス枚数ＮＳはゼロにリセットされる。ステップＳ１３２の後、ステップＳ１２３に戻る。
【００８３】
ステップＳ１２３に戻ると、次のデータ収集期間Ｐ６が開始され、ステップＳ１２４に進む。データ収集期間Ｐ６では、データ収集期間Ｐ４と同様に、１１番目〜２０番目のスライスから、ｋ空間の２番目のラインのデータが収集され、ステップＳ１２８において、データ収集期間Ｐ６（図７の時刻ｔ6参照）が終了する。
【００８４】
データ収集期間Ｐ６が終了すると、ステップＳ１２９に進む。
【００８５】
ステップＳ１２９では、データ収集期間Ｐ６の終了時刻ｔ6における呼吸信号ＳrのレベルＬ６と、しきい値ＴＨと、が比較される。
【００８６】
Ｌ６とＴＨとを比較すると、図７に示すように、Ｌ６はＴＨよりも小さく、このため、Ｌ６＜ＴＨと判断される。Ｌ６＜ＴＨは、呼吸信号Ｓrがしきい値ＴＨを超える前に、データ収集期間Ｐ６が終了したことを意味する。したがって、データ収集期間Ｐ６は、呼吸による体動の大きい期間を含んでいないと判断される。この場合、データ収集期間Ｐ６に取り直されたデータ（スライス番号ｂ＝１１〜２０、ライン番号ｖ＝２）は、呼吸による体動の影響が少なく画像再構成に使用することができる有効データであると判断される。その後、ステップＳ１３０に進む。
【００８７】
ステップＳ１３０では、データ収集期間Ｐ６に取り直されたデータ（スライス番号ｂ＝１１〜２０、ライン番号ｖ＝２）が「有効データ」であると記録される。尚、データ収集期間Ｐ６に取り直されたデータ（スライス番号ｂ＝１１〜２０、ライン番号ｖ＝２）は、データ収集期間Ｐ４で既に収集されている。データ収集期間Ｐ４に収集されたデータも、データ収集期間Ｐ６に収集されたデータと同様に、「有効データ」であると判断されている。したがって、画像再構成をする場合には、データ収集期間Ｐ４に収集されたデータを使用してもよいし、データ収集期間Ｐ６に取り直されたデータを使用してもよい。ステップＳ１３０の後、ステップＳ１３１に進む。
【００８８】
ステップＳ１３１では、呼吸周期ｒ＝Ｒ（＝２）であるか否かが判断される。データ収集期間Ｐ６が終了した時点では、ｒ＝Ｒ（＝２）であるので（図７参照）、ステップＳ１３３に進む。
【００８９】
ステップＳ１３３では、繰返時間ＴＲに収集されたデータにＮＧデータが存在しているか否かが判断される。繰返時間ＴＲのデータ収集期間Ｐ５およびＰ６に取り直されたデータは、図７に示すように、いずれも有効データと判断されている。したがって、ステップＳ１３３では、ＮＧデータは存在していないと判断され、ステップＳ１３５に進む。
【００９０】
ステップＳ１３５では、ｖ＝Ｖ0（＝１２８）であるか否かが判断される。データ収集期間Ｐ６が終了した時点では、ｖ＝２であるので（図７の時刻ｔ6参照）、ステップＳ１３６に進み、ライン番号ｖが更新され、ステップＳ１２３に戻る。
【００９１】
ステップＳ１２３に戻ると、上述した手順で、ステップＳ１２３〜Ｓ１３６のループが繰返し実行される。この結果、１番目〜２０番目のスライスから、ｋ空間の各ラインのデータが順に収集され、最後の繰返時間ＴＲに、２つのデータ収集期間Ｐz-1およびＰz（図７参照）が設けられる。
【００９２】
データ収集期間Pz-1には、１番目〜１０番目のスライスから、ｋ空間の１２８番目のラインのデータが収集される。データ収集期間Ｐz-1の終了後、ステップＳ１２９に進み、時刻ｔz-1における呼吸信号ＳrのレベルＬz-1が、しきい値ＴＨよりも大きいか否かが判断される。Ｌz-1＜ＴＨであるので、ステップＳ１３０において、「有効データ」と記録され、ステップＳ１３１に進む。データ収集期間Ｐz-1ではｒ＝１であるので（図７参照）、ステップＳ１３２に進み、呼吸周期ｒがｒ＝２に更新され、ステップＳ１２３に戻る。
【００９３】
ステップＳ１２３に戻ると、データ収集期間Ｐzが開始される。データ収集期間Ｐzには、１１番目〜２０番目のスライスから、ｋ空間の１２８番目のラインのデータが収集される。データ収集期間Ｐzの終了後、ステップＳ１２９に進み、時刻ｔzにおける呼吸信号ＳrのレベルＬzが、しきい値ＴＨよりも大きいか否かが判断される。Ｌz＜ＴＨであるので、ステップＳ１３０において、「有効データ」と記録され、ステップＳ１３１に進む。データ収集期間Ｐzではｒ＝２であるので（図７参照）、ステップＳ１３３に進み、繰返時間ＴＲに収集されたデータにＮＧデータが存在しているか否かが判断される。繰返時間ＴＲのデータ収集期間Ｐz-1およびＰzに収集されたデータは、図７に示すように、いずれも有効データと判断されている。したがって、ステップＳ１３３では、ＮＧデータは存在していないと判断され、ステップＳ１３５に進む。
【００９４】
ステップＳ１３５では、ｖ＝Ｖ0（＝１２８）であるか否かが判断される。データ収集期間Ｐzが終了した時点では、ｖ＝１２８であるので（図７の時刻ｔz参照）、ｖ＝１２８と判断され、撮像が終了する。
【００９５】
ステップＳ１２１〜Ｓ１３６のループを繰返し実行することによって、撮像期間ＡＣＱの間に、データ収集期間Ｐ１〜Ｐｚが設けられ、その結果、全てのスライスから、ｋ空間を埋めるのに必要な全データが収集される。
【００９６】
全データを収集した後、画像が再構成される。
【００９７】
第１の実施形態では、各データ収集期間の終了時刻における呼吸信号ＳrのレベルＬrと、しきい値ＴＨと、を比較している。Ｌr＞ＴＨの場合、データ収集期間が終了する前に呼吸による体動が大きくなったと判断し、データが自動的に取り直される。画像再構成する場合は、この取り直されたデータが画像再構成用のデータとして使用される。したがって、体動アーチファクトの低減されたＭＲ画像を取得することができる。
【００９８】
尚、被検体１０の呼吸状態によっては、データ収集期間の間に呼吸信号Ｓrのレベルがしきい値ＴＨを超えたが、データ収集期間の終了前に呼吸信号Ｓrのレベルがしきい値ＴＨ以下に戻る場合がある。この場合、各データ収集期間が終了した時点における呼吸信号ＳrのレベルＬrのみを求めただけでは、データ収集期間が呼吸による体動の大きい期間を含んでいるか否かを正確に判断することができない。このような不具合を解消するために、各スライスからデータを収集するたびに呼吸信号Ｓrのレベルを求めてもよい。各スライスからデータを収集するたびに呼吸信号Ｓrのレベルを求めておけば、データ収集期間の終了前に呼吸信号Ｓrのレベルがしきい値ＴＨ以下に戻っても、データ収集期間が呼吸による体動の大きい期間を含んでいるか否かを正確に判断することができる。
【００９９】
また、第１の実施形態では、データ収集期間が呼吸による体動の大きい期間を含んでいるか否かの判断は、呼吸信号ＳrのレベルＬrと、しきい値ＴＨと、を比較することによって行われている。しかし、データ収集期間が呼吸による体動の大きい期間を含んでいるか否かの判断は、別のやり方でも実行することができる。以下に、別のやり方について、第２の実施形態で説明する。
【０１００】
２．第２の実施形態
第２の実施形態の説明に当たっては、第１の実施形態との相違点を中心に説明する。
【０１０１】
第２の実施形態において、ＭＲＩ装置のハードウェア構成は、第１の実施形態とほぼ同じであるが、計算機１０７の機能ブロックが異なっている。
【０１０２】
図９は、第２の実施形態における計算機１０７の機能ブロック図の一例である。
【０１０３】
第１の実施形態と第２の実施形態との相違点は、スライス選択部１３とカウント部１４との間に、終了時刻記録部２１が設けられている点である。終了時刻記録部２１は、データ収集期間の中の各スライス毎の終了時刻を記録する。
【０１０４】
次に、第２の実施形態におけるＭＲＩ装置１００の処理フローについて説明する。
【０１０５】
第２の実施形態におけるＭＲＩ装置１００の処理フローは、図３に示すフローチャートを用いて説明することができる。即ち、第２の実施形態も、ステップＳ１１において、被検体１０の呼吸による体動が大きいか小さいかの基準となるしきい値を決定する。しきい値の決定方法は、図４を参照しながら説明した方法と同じである。
【０１０６】
ステップＳ１１終了後、ステップＳ１２においてデータを収集し、ステップＳ１３において、画像を表示する。しかし、第２の実施形態では、ステップＳ１２の処理フローが、第１の実施形態とは異なっている。以下に、第２の実施形態におけるステップＳ１２の処理について、詳しく説明する。
【０１０７】
図１０は、ステップＳ１２の具体的な処理を表すフローチャートであり、図１１は、図１０のフローチャートを実行することにより、各スライスからどのようなタイミングでデータが収集されるのかを説明する図である。
【０１０８】
以下に、図１０のフローチャートについて、図１１を参照しながら説明する。
【０１０９】
ステップＳ２２１〜ステップＳ２２９の動作は、第１の実施形態のフローチャート（図６参照）のステップＳ１２１〜ステップＳ１２８の動作とほとんど同じである。しかし、第２の実施形態では、ステップＳ２２４とステップＳ２２６との間に、終了時刻ｔeを記録するステップＳ２２５を有している点が、第１の実施形態とは異なっている。
【０１１０】
ステップＳ２２５は、ｂ番目のスライスからｋ空間のｖ番目のラインのデータの収集が終了した時刻ｔeを記録するステップである。第２の実施形態では、ステップＳ２２５が設けられているので、各スライスからｋ空間のｖ番目のラインのデータの収集が終了するたびに、データ収集の終了時刻ｔeが記録される。データ収集期間Ｐ１には、１番目〜１０番目のスライスからデータが収集されるので、１番目〜１０番目の各スライスからデータが収集されるたびに、ステップＳ２２５において、終了時刻ｔe＝ｔ11、ｔ12、・・・ｔ19、ｔ20が記録される（図１１参照）。終了時刻ｔe＝ｔ20が記録された後、ステップＳ２２６に進み、データ収集済スライス枚数ＮＳがＮＳ＝１０に更新され、ステップＳ２２７に進む。ステップＳ２２７において、データ収集済スライス枚数ＮＳ＝ｎ（＝１０）と判断され、ステップＳ２２９に進み、データ収集期間Ｐ１が終了する。
【０１１１】
データ収集期間Ｐ１が終了すると、ステップＳ２３０に進む。
【０１１２】
また、第２の実施形態では、図１１に示されるように、呼吸信号Ｓrが、しきい値ＴＨよりも小さい値から、しきい値ＴＨに到達したときの時刻（以下、「しきい値到達時刻」と呼ぶ）Ｔth（＝Ｔ１、Ｔ２、Ｔ３、・・・Ｔz）が算出されている。ステップＳ２３０では各データ収集期間のスライス毎の終了時刻ｔeと、しきい値到達時刻Ｔthと、が比較される。この比較結果から、データ収集期間に収集されたデータが、画像再構成に使用することができる有効データであるのか、それとも画像再構成に使用することができないＮＧデータであるかを判断する。ここでは、データ収集期間Ｐ１が終了しているので、ステップＳ２３０において、データ収集期間Ｐ１のスライス毎の終了時刻ｔe（＝ｔ11、ｔ12、・・・ｔ19、ｔ20）と、しきい値到達時刻Ｔ１と、が比較される。
【０１１３】
終了時刻ｔe（＝ｔ11、ｔ12、・・・ｔ19、ｔ20）と、しきい値到達時刻Ｔ１とを比較する場合、最初に、終了時刻ｔ20としきい値到達時刻Ｔ１とが比較される。ｔ20とＴ１とを比較すると、ｔ20＜Ｔ１である。これは、呼吸信号Ｓrがしきい値ＴＨを超える前に、データ収集期間Ｐ１が終了したことを意味する。したがって、データ収集期間Ｐ１は、呼吸による体動の大きい期間を含んでいないと判断される。この場合、データ収集期間Ｐ１に収集されたデータは、呼吸による体動の影響が少なく画像再構成に使用することができる有効データであると判断される。その後、ステップＳ２３１に進み、データ収集期間Ｐ１に収集されたデータは「有効データ」であると記録される。この記録をした後、ステップＳ２３２に進む。
【０１１４】
ステップＳ２３２〜ステップ２３７の動作は、第１実施形態のフローチャート（図６参照）のステップＳ１３１〜ステップＳ１３６の動作と同じである。データ収集期間Ｐ１が終了した時点では、呼吸周期ｒ＝１、スライス番号ｂ＝１、およびライン番号ｖ＝１である（図１１参照）。したがって、ステップＳ２３２からステップＳ２３３に進み、呼吸周期ｒ＝２、スライス番号ｂ＝１１、ライン番号ｖ＝１、データ収集済スライス枚数ＮＳ＝０に設定され、ステップＳ２２３に戻る。
【０１１５】
ステップＳ２２３に戻ると、次のデータ収集期間Ｐ２が開始され、ステップＳ２２４に進む。データ収集期間Ｐ２の開始時点では、呼吸周期ｒ＝２、スライス番号ｂ＝１１、およびライン番号ｖ＝１であるので、ステップＳ２２４〜Ｓ２２８が繰返し実行されることにより、１１番目〜２０番目のスライスから、ｋ空間の２番目のラインのデータが順に収集される。各スライスからデータが収集されるたびに、データ収集済スライス枚数ＮＳが更新される。ステップＳ２２４において２０番目のスライスからｋ空間の１番目のラインのデータが収集されると、ステップＳ２２５において終了時刻ｔe＝ｔ30が記録され、ステップＳ２２６においてＮＳ＝１０に更新され、ステップＳ２２７に進む。ステップＳ２２７において、データ収集済スライス枚数ＮＳ＝ｎ（＝１０）と判断され、ステップＳ２２９に進み、データ収集期間Ｐ２が終了する。
【０１１６】
データ収集期間Ｐ２が終了すると、ステップＳ２３０に進む。
【０１１７】
ステップＳ２３０では、データ収集期間Ｐ２のスライス毎の終了時刻ｔe（＝ｔ21、ｔ22、・・・ｔ29、ｔ30）と、しきい値到達時刻Ｔ２と、が比較される。この比較結果から、データ収集期間Ｐ２に収集されたデータが、画像再構成に使用することができる有効データであるのか、それとも画像再構成に使用することができないＮＧデータであるのかが判断される。
【０１１８】
終了時刻ｔe（＝ｔ21、ｔ22、・・・ｔ29、ｔ30）と、しきい値到達時刻Ｔ２とを比較する場合、最初に、終了時刻ｔ30としきい値到達時刻Ｔ２とが比較される。ｔ30とＴ２とを比較すると、ｔ30＜Ｔ２である。これは、呼吸信号Ｓrがしきい値ＴＨを超える前に、データ収集期間Ｐ２が終了したことを意味する。したがって、データ収集期間Ｐ２は、呼吸による体動の大きい期間を含んでいないと判断される。この場合、データ収集期間Ｐ２に収集されたデータは、呼吸による体動の影響が少なく画像再構成に使用することができる有効データであると判断される。その後、ステップＳ２３１に進み、データ収集期間Ｐ１に収集されたデータは「有効データ」であると記録される。この記録をした後、ステップＳ２３２に進む。
【０１１９】
データ収集期間Ｐ２が終了した時点では、呼吸周期ｒ＝Ｒ（＝２）であるので、ステップＳ２３４に進む。
【０１２０】
ステップＳ２３４では、繰返時間ＴＲに収集されたデータにＮＧデータが存在しているか否かが判断される。繰返時間ＴＲのデータ収集期間Ｐ１およびＰ２に収集されたデータは、図１１に示すように、いずれも有効データと判断されている。したがって、ステップＳ２３４では、ＮＧデータは存在していないと判断され、ステップＳ２３６に進む。
【０１２１】
ステップＳ２３６では、ｖ＝Ｖ0（＝１２８）であるか否かが判断される。データ収集期間Ｐ２が終了した時点ではｖ＝１であるので（図１１の時刻ｔ30参照）、ステップＳ２３７に進み、呼吸周期ｒ＝１、スライス番号ｂ＝１、ライン番号ｖ＝２、データ収集済スライス枚数ＮＳ＝０に設定され、ステップＳ２２３に戻る。
【０１２２】
ステップＳ２２３に戻ると、次のデータ収集期間Ｐ３が開始され、ステップＳ２２４に進む。データ収集期間Ｐ３の開始時点では、呼吸周期ｒ＝１、スライス番号ｂ＝１、およびライン番号ｖ＝２であるので、ステップＳ２２４〜Ｓ２２８が繰返し実行されることにより、１番目〜１０番目のスライスから、ｋ空間の２番目のラインのデータが順に収集される。ステップＳ２２７において、ＮＳ＝ｎ（＝１０）と判断されると、ステップＳ２２９に進み、データ収集期間Ｐ３が終了する。
【０１２３】
データ収集期間Ｐ３が終了すると、ステップＳ２３０に進む。
【０１２４】
ステップＳ２３０では、データ収集期間Ｐ３のスライス毎の終了時刻ｔe（＝ｔ31、ｔ32、・・・ｔ39、ｔ40）と、しきい値到達時刻Ｔ３と、が比較される。この比較結果から、データ収集期間Ｐ３に収集されたデータが、画像再構成に使用することができる有効データであるのか、それとも画像再構成に使用することができないＮＧデータであるのかが判断される。
【０１２５】
終了時刻ｔe（＝ｔ31、ｔ32、・・・ｔ39、ｔ40）と、しきい値到達時刻Ｔ３とを比較する場合、最初に、終了時刻ｔ40としきい値到達時刻Ｔ３とが比較される。ｔ40とＴ３とを比較すると、ｔ40＞Ｔ３である。これは、データ収集期間Ｐ３が終了する前に、呼吸信号Ｓrがしきい値ＴＨを超えたことを意味する。したがって、データ収集期間Ｐ３は、呼吸による体動の大きい期間Ｍを含んでいると判断される。この場合、データ収集期間Ｐ３に収集されたデータを画像再構成のデータに使用してしまうと、ＭＲ画像上の体動アーチファクトが大きくなる恐れがある。そこで、データ収集期間Ｐ３に収集されたデータは、呼吸による体動の影響を大きく受けており画像再構成に使用することができないＮＧデータであると判断される。その後、ステップＳ２３１に進み、データ収集期間Ｐ３に収集されたデータは「ＮＧデータ」であると記録される。「ＮＧデータ」と記録した後、ステップＳ２３２に進む。
【０１２６】
データ収集期間Ｐ３が終了した時点では、呼吸周期ｒ＝１である（図１１の時刻ｔ40参照）。したがって、ステップＳ２３２からステップＳ２３３に進み、呼吸周期ｒ＝２、スライス番号ｂ＝１１、ライン番号ｖ＝２、データ収集済スライス枚数ＮＳ＝０に設定され、ステップＳ２２３に戻る。
【０１２７】
ステップＳ２２３に戻ると、次のデータ収集期間Ｐ４が開始され、ステップＳ２２４に進む。データ収集期間Ｐ４の開始時点では、呼吸周期ｒ＝２、スライス番号ｂ＝１１、およびライン番号ｖ＝２であるので、ステップＳ２２４〜Ｓ２２８が繰返し実行されることにより、１１番目〜２０番目のスライスから、ｋ空間の２番目のラインのデータが順に収集される。ステップＳ２２７において、ＮＳ＝ｎ（＝１０）と判断されると、ステップＳ２２９に進み、データ収集期間Ｐ４が終了する。
【０１２８】
データ収集期間Ｐ４が終了すると、ステップＳ２３０に進む。
【０１２９】
ステップＳ２３０では、データ収集期間Ｐ４のスライス毎の終了時刻ｔe（＝ｔ41、ｔ42、・・・ｔ49、ｔ50）と、しきい値到達時刻Ｔ４と、が比較される。
【０１３０】
終了時刻ｔe（＝ｔ41、ｔ42、・・・ｔ49、ｔ50）と、しきい値到達時刻Ｔ４とを比較する場合、最初に、終了時刻ｔ50としきい値到達時刻Ｔ４とが比較される。ｔ50とＴ４とを比較すると、ｔ50＜Ｔ４である。これは、呼吸信号Ｓrがしきい値ＴＨを超える前に、データ収集期間Ｐ４が終了したことを意味する。したがって、データ収集期間Ｐ４は、呼吸による体動の大きい期間を含んでいないと判断される。この場合、データ収集期間Ｐ４に収集されたデータは、呼吸による体動の影響が少なく画像再構成に使用することができる有効データであると判断される。その後、ステップＳ２３１に進み、データ収集期間Ｐ４に収集されたデータは「有効データ」であると記録される。この記録をした後、ステップＳ２３２に進む。
【０１３１】
ステップＳ２３２では、呼吸周期ｒ＝Ｒ（＝２）であるか否かが判断される。データ収集期間Ｐ４が終了した時点では、ｒ＝Ｒ（＝２）であるので（図１１参照）、ステップＳ２３４に進む。
【０１３２】
ステップＳ２３４では、繰返時間ＴＲに収集されたデータにＮＧデータが存在しているか否かが判断される。繰返時間ＴＲの後半のデータ収集期間Ｐ４に収集されたデータは、図１１に示すように、有効データと判断されているが、繰返時間ＴＲの前半のデータ収集期間Ｐ３に収集されたデータは、ＮＧデータと判断されている。したがって、ステップＳ２３４では、ＮＧデータが存在していると判断される。データ収集期間Ｐ３に収集されたデータを画像再構成用のデータとして使用すると、ＭＲ画像上の体動アーチファクトが大きくなる恐れがある。そこで、データの取直しが実行される。データ収集期間Ｐ３およびＰ４を比較すると、データ収集期間Ｐ３に収集されたデータのみがＮＧデータであり、データ収集期間Ｐ４に収集されたデータは有効データである。しかし、繰返時間ＴＲを一定に保つ目的で、データ収集期間Ｐ３に収集されたデータだけでなく、データ収集期間Ｐ４に収集されたデータも、取り直される。データを取り直すため、ＮＧデータが存在していると判断された場合、ステップＳ２３４からステップＳ２３５に進み、ステップＳ２２３に戻る。
【０１３３】
ステップＳ２２３に戻ると、次のデータ収集期間Ｐ５が開始され、ステップＳ２２４に進む。データ収集期間Ｐ５の開始時点では、呼吸周期ｒ＝１、スライス番号ｂ＝１、およびライン番号ｖ＝２であるので、ステップＳ２２４〜Ｓ２２８が繰返し実行されることにより、１番目〜１０番目のスライスから、ｋ空間の２番目のラインのデータが取り直される。ステップＳ２２７において、データ収集済スライス枚数ＮＳ＝ｎ（＝１０）と判断されると、ステップＳ２２９に進み、データ収集期間Ｐ５（図１１の時刻ｔ60参照）が終了する。
【０１３４】
データ収集期間Ｐ５が終了すると、ステップＳ２３０に進む。
【０１３５】
ステップＳ２３０では、データ収集期間Ｐ５のスライス毎の終了時刻ｔe（＝ｔ51、ｔ52、・・・ｔ59、ｔ60）と、しきい値到達時刻Ｔ５と、が比較される。
【０１３６】
終了時刻ｔe（＝ｔ51、ｔ52、・・・ｔ59、ｔ60）と、しきい値到達時刻Ｔ５とを比較する場合、最初に、終了時刻ｔ60としきい値到達時刻Ｔ５とが比較される。ｔ60とＴ５とを比較すると、ｔ60＜Ｔ５である。これは、呼吸信号Ｓrがしきい値ＴＨを超える前に、データ収集期間Ｐ５が終了したことを意味する。したがって、データ収集期間Ｐ５は、呼吸による体動の大きい期間を含んでいないと判断される。この場合、データ収集期間Ｐ５に収集されたデータを画像再構成に使用しても、ＭＲ画像上の体動アーチファクトは小さい。したがって、データ収集期間Ｐ５に取り直されたデータ（スライス番号ｂ＝１〜１０、ライン番号ｖ＝２）は、呼吸による体動の影響が小さく画像再構成に使用することができる有効データであると判断される。その後、ステップＳ２３１に進む。
【０１３７】
ステップＳ２３１では、データ収集期間Ｐ５に取り直されたデータ（スライス番号ｂ＝１〜１０、ライン番号ｖ＝２）は「有効データ」であると記録される。また、データ収集期間Ｐ３に収集されたＮＧデータは消去される。その後、ステップＳ２３２に進む。
【０１３８】
ステップＳ２３２では、呼吸周期ｒ＝Ｒ（＝２）であるか否かが判断される。データ収集期間Ｐ５が終了した時点では、ｒ＝１であるので（図７参照）、まだ、ｒ＝Ｒ（＝２）には到達していない。したがって、ステップＳ２３２からステップＳ２３３に進み、ステップＳ２２３に戻る。
【０１３９】
ステップＳ２２３に戻ると、次のデータ収集期間Ｐ６が開始され、ステップＳ２２４に進む。データ収集期間Ｐ６の開始時点では、呼吸周期ｒ＝２、スライス番号ｂ＝１１、およびライン番号ｖ＝２であるので、ステップＳ２２４〜Ｓ２２８が繰返し実行されることにより、１１番目〜２０番目のスライスから、ｋ空間の２番目のラインのデータが順に取り直される。ステップＳ２２７において、ＮＳ＝ｎ（＝１０）と判断されると、ステップＳ２２９に進み、データ収集期間Ｐ６が終了する。
【０１４０】
データ収集期間Ｐ６が終了すると、ステップＳ２３０に進む。
【０１４１】
ステップＳ２３０では、データ収集期間Ｐ６のスライス毎の終了時刻ｔe（＝ｔ61、ｔ62、・・・ｔ69、ｔ70）と、しきい値到達時刻Ｔ６と、が比較される。
【０１４２】
終了時刻ｔe（＝ｔ61、ｔ62、・・・ｔ69、ｔ70）と、しきい値到達時刻Ｔ６とを比較する場合、最初に、終了時刻ｔ70としきい値到達時刻Ｔ６とが比較される。ｔ70とＴ６とを比較すると、ｔ70＜Ｔ６である。これは、呼吸信号Ｓrがしきい値ＴＨを超える前に、データ収集期間Ｐ６が終了したことを意味する。したがって、データ収集期間Ｐ６は、呼吸による体動の大きい期間を含んでいないと判断される。この場合、データ収集期間Ｐ６に取り直されたデータは、呼吸による体動の影響が少なく画像再構成に使用することができる有効データであると判断される。その後、ステップＳ２３１に進む。
【０１４３】
ステップＳ２３１では、データ収集期間Ｐ６に取り直されたデータ（スライス番号ｂ＝１１〜２０、ライン番号ｖ＝２）が「有効データ」であると記録される。尚、データ収集期間Ｐ６に取り直されたデータ（スライス番号ｂ＝１１〜２０、ライン番号ｖ＝２）は、データ収集期間Ｐ４で既に収集されている。データ収集期間Ｐ４に収集されたデータも、データ収集期間Ｐ６に収集されたデータと同様に、「有効データ」であると判断されている。したがって、画像再構成をする場合には、データ収集期間Ｐ４に収集されたデータを使用してもよいし、データ収集期間Ｐ６に収集されたデータを使用してもよい。ステップＳ２３１の後、ステップＳ２３２に進む。
【０１４４】
ステップＳ２３２では、呼吸周期ｒ＝Ｒ（＝２）であるか否かが判断される。データ収集期間Ｐ６が終了した時点では、ｒ＝Ｒ（＝２）であるので（図１１参照）、ステップＳ２３４に進む。
【０１４５】
ステップＳ２３４では、繰返時間ＴＲに収集されたデータにＮＧデータが存在しているか否かが判断される。繰返時間ＴＲのデータ収集期間Ｐ５およびＰ６に取り直されたデータは、図１１に示すように、いずれも有効データと判断されている。したがって、ステップＳ２３４では、ＮＧデータは存在していないと判断され、ステップＳ２３６に進む。
【０１４６】
ステップＳ２３６では、ｖ＝Ｖ0（＝１２８）であるか否かが判断される。データ収集期間Ｐ６が終了した時点では、ｖ＝２であるので（図１１の時刻ｔ70参照）、ステップＳ２３７に進み、ライン番号ｖが更新され、ステップＳ２２３に戻る。
【０１４７】
ステップＳ２２３に戻ると、上述した手順で、ステップＳ２２３〜ステップＳ２３７のループが繰返し実行される。この結果、１番目〜２０番目のスライスから、ｋ空間の各ラインのデータが順に収集され、最後の繰返時間ＴＲに、２つのデータ収集期間Ｐz-1およびＰz（図１１参照）が設けられる。
【０１４８】
データ収集期間Ｐz-1およびＰzに収集されたデータは、いずれも有効データであると判断され（図１１参照）、ステップＳ２３１において、「有効データ」と記録される。その後、ステップＳ２３４においてＮＧデータが存在しないと判断され、ステップＳ２３６においてｖ＝Ｖ0（＝１２８）と判断され、撮像が終了する。
【０１４９】
ステップＳ２２１〜ステップＳ２３７のループを繰返し実行することによって、撮像期間ＡＣＱの間に、データ収集期間Ｐ１〜Ｐｚが設けられ、その結果、全てのスライスから、ｋ空間を埋めるのに必要な全データが収集される。
【０１５０】
全データを収集した後、画像が再構成される。再構成されたＭＲ画像は、表示装置１０６（図１参照）に表示される。
【０１５１】
第２の実施形態では、データ収集期間のスライス毎の各終了時刻ｔeと、しきい値到達時刻Ｔthと、が比較され、ｔe＞Ｔthとなった場合、データ収集期間に体動の大きい期間Ｍが含まれていると判断し、データが自動的に取り直される。画像再構成では、この取り直されたデータが、画像再構成用のデータとして使用される。したがって、体動アーチファクトの低減されたＭＲ画像を取得することができる。
【０１５２】
尚、第１および第２の実施形態では、繰返時間ＴＲの間にＮＧデータが発生した場合、次の繰返時間ＴＲでデータの取直しを実行している。しかし、データの取直しは、必ずしも次の繰返時間ＴＲで実行する必要はなく、画像を再構成するまでに実行すればよい。
【０１５３】
また、第１の実施形態および第２の実施形態では、データ収集期間に体動の大きい期間Ｍが含まれていると判断した場合は、自動的にデータを取り直している。しかし、データを取り直すか否かをＭＲＩ装置１００の操作者に判断させてもよい。以下に、データを取り直すか否かをＭＲＩ装置１００の操作者に判断させる方法について、第３の実施形態〜第５の実施形態で説明する。
【０１５４】
３．第３の実施形態
第３の実施形態において、ＭＲＩ装置のハードウェア構成は、第１および第２の実施形態とほぼ同じであるが、計算機１０７の機能ブロックが異なっている。
【０１５５】
図１２は、第３の実施形態における計算機１０７の機能ブロック図の一例である。
【０１５６】
計算機１０７は、しきい値決定部３１と、データ収集期間開始部３２と、スライス選択部３３と、カウント部３４と、データ収集期間終了部３５と、体動判定部３６と、取直し判断情報算出部３７と、データ取直し決定部３８と、を有している。
【０１５７】
しきい値決定部３１は、被検体１０の呼吸信号Ｓrから、被検体１０の呼吸による体動が大きいか小さいかの基準となるしきい値ＴＨを決定する。データ収集期間開始部３２は、呼吸信号Ｓrに基づいて、データの収集を開始するタイミングを制御する。スライス選択部３３は、データが収集されるスライス位置を制御する。カウント部３４は、データの収集が終了したスライスの枚数をカウントする。データ収集期間終了部３５は、カウント部３４のカウント値が所定値に到達した場合、データ収集期間を終了させる。体動判定部３６は、データ収集期間に体動の大きい期間が含まれているか否かを判定する。取直し判断情報算出部３７は、ＭＲＩ装置１００の操作者がデータの取直しを行うか否かを決定するのに必要な取直し判断情報を算出する。データ取直し決定部３８は、ＭＲＩ装置１００の操作者の操作に応じて、データの取直しを行うか否かを決定する。
【０１５８】
次に、第３の実施形態におけるＭＲＩ装置１００の処理フローについて説明する。
【０１５９】
第３の実施形態におけるＭＲＩ装置１００の処理フローは、図３に示すフローチャートを用いて説明することができる。即ち、第３の実施形態でも、ステップＳ１１において、被検体１０の呼吸による体動が大きいか小さいかの基準となるしきい値を決定する。しきい値の決定方法は、図４を参照しながら説明した方法と同じである。
【０１６０】
ステップＳ１１終了後、ステップＳ１２においてデータを収集し、ステップＳ１３において、画像を表示する。しかし、第３の実施形態では、ステップＳ１２の処理フローが、第１および第２の実施形態とは異なっている。以下に、第３の実施形態におけるステップＳ１２の処理について、詳しく説明する。
【０１６１】
図１３および図１４は、ステップＳ１２の具体的な処理を表すフローチャートであり、図１５および図１６は、図１３および図１４のフローチャートを実行することにより、各スライスからどのようなタイミングでデータが収集されるのかを説明する図である。
【０１６２】
以下に、図１３および図１４のフローチャートについて、図１５および図１６を参照しながら説明する。
【０１６３】
ステップＳ３２１〜ステップＳ３２８の動作は、図６に示すフローチャートのステップＳ１２１〜ステップＳ１２８の動作と同じである。したがって、ステップＳ３２１〜ステップＳ３２８が実行されることによって、データ収集期間Ｐ１が終了する（図１５の時刻ｔ1参照）。
【０１６４】
データ収集期間Ｐ１が終了すると、ステップＳ３２９に進む。
【０１６５】
ステップＳ３２９では、データ収集期間Ｐ１の終了時刻ｔ1における呼吸信号ＳrのレベルＬ１と、しきい値ＴＨと、が比較される。この比較結果から、データ収集期間Ｐ１に収集されたデータが、画像再構成に使用することができる有効データであるのか、それとも画像再構成に使用することができないＮＧデータであるかを判断する。Ｌ１とＴＨとを比較すると、Ｌ１＜ＴＨである。これは、呼吸信号Ｓrがしきい値ＴＨを超える前に、データ収集期間Ｐ１が終了したことを意味する。したがって、データ収集期間Ｐ１は、呼吸による体動の大きい期間を含んでいないと判断される。この場合、データ収集期間Ｐ１に収集されたデータは、呼吸による体動の影響が少なく画像再構成に使用することができる有効データであると判断される。この判断をした後、ステップＳ３３０に進む。
【０１６６】
ステップＳ３３０では、データ収集期間Ｐ１に収集されたデータが、有効データであるか、ＮＧデータであるかが記録される。データ収集期間Ｐ１に収集されたデータは有効データであると判断されたので、「有効データ」と記録される。その後、ステップＳ３３１に進む。
【０１６７】
ステップＳ３３１では、呼吸周期ｒ＝Ｒであるか否かが判断される。ｒ＝Ｒの場合、ステップＳ３３３に進み、ｒ＝Ｒでなければ、ステップＳ３３２に進む。第３の実施形態では、Ｒ＝２であるので、呼吸周期ｒ＝２であるか否かが判断される。データ収集期間Ｐ１が終了した時点では、ｒ＝１であるので（図１５参照）、ステップＳ３３２に進む。
【０１６８】
ステップＳ３３２の動作は、図６に示すフローチャートのステップＳ１３２の動作と同じである。データ収集期間Ｐ１が終了した時点では、呼吸周期ｒ、スライス番号ｂ、およびライン番号ｖは、それぞれｒ＝１、ｂ＝１０、およびｖ＝１である（図１５参照）。したがって、ステップＳ３３２を実行することによって、呼吸周期ｒ、スライス番号ｂ、およびライン番号ｖは、それぞれｒ＝２、ｂ＝１１、およびｖ＝１に設定される。また、データ収集済スライス枚数ＮＳはゼロにリセットされる。ステップＳ３３２の後、ステップＳ３２３に戻る。
【０１６９】
ステップＳ３２３に戻ると、次のデータ収集期間Ｐ２が開始される。ステップＳ３２４〜Ｓ３２７のループが繰返し実行されることにより、１１番目〜２０番目のスライスから、ｋ空間の１番目のラインのデータが収集され、データ収集期間Ｐ２が終了する（図１５の時刻ｔ2参照）。
【０１７０】
データ収集期間Ｐ２が終了すると、ステップＳ３２９に進む。
【０１７１】
ステップＳ３２９では、データ収集期間Ｐ２の終了時刻ｔ2における呼吸信号ＳrのレベルＬ２と、しきい値ＴＨと、が比較される。この比較結果から、データ収集期間Ｐ２に収集されたデータが、画像再構成に使用することができる有効データであるのか、それとも画像再構成に使用することができないＮＧデータであるかを判断する。Ｌ２とＴＨとを比較すると、Ｌ２＜ＴＨである。したがって、データ収集期間Ｐ２は、呼吸による体動の大きい期間を含んでいないと判断され、データ収集期間Ｐ２に収集されたデータは、呼吸による体動の影響が少なく画像再構成に使用することができる有効データであると判断される。その後、ステップＳ３３０に進み、データ収集期間Ｐ２に収集されたデータは「有効データ」であると記録される。「有効データ」と記録した後、ステップＳ３３１に進む。
【０１７２】
データ収集期間Ｐ２が終了した時点では、呼吸周期ｒ＝Ｒ（＝２）およびライン番号ｖ＝１であるので（図１５の時刻ｔ2参照）、ステップＳ３３１から、ステップＳ３３３、ステップＳ３３４に進む。ステップＳ３３４において、呼吸周期ｒ＝１、スライス番号ｂ＝１、ライン番号ｖ＝２、データ収集済スライス枚数ＮＳ＝０に設定され、ステップＳ３２３に戻る。
【０１７３】
ステップＳ３２３に戻ると、次のデータ収集期間Ｐ３が開始される。ステップＳ３２４〜Ｓ３２７のループが繰返し実行されることにより、１番目〜１０番目のスライスから、ｋ空間の２番目のラインのデータが収集され、データ収集期間Ｐ３が終了する（図１５の時刻ｔ3参照）。
【０１７４】
データ収集期間Ｐ３が終了すると、ステップＳ３２９に進む。
【０１７５】
ステップＳ３２９では、データ収集期間Ｐ３の終了時刻ｔ3における呼吸信号ＳrのレベルＬ３と、しきい値ＴＨと、が比較される。この比較結果から、データ収集期間Ｐ３に収集されたデータが、画像再構成に使用することができる有効データであるのか、それとも画像再構成に使用することができないＮＧデータであるかを判断する。Ｌ３とＴＨとを比較すると、Ｌ３＞ＴＨである。これは、データ収集期間Ｐ３が終了する前に、呼吸信号Ｓrがしきい値ＴＨを超えたことを意味する。したがって、データ収集期間Ｐ３は、呼吸による体動の大きい期間Ｍを含んでいると判断される。この場合、データ収集期間Ｐ３に収集されたデータを画像再構成のデータに使用してしまうと、ＭＲ画像に体動アーチファクトが発生する恐れがある。そこで、データ収集期間Ｐ３に収集されたデータは、呼吸による体動の影響を大きく受けており画像再構成に使用することができないＮＧデータであると判断される。「ＮＧデータ」と判断された後、ステップＳ３３０に進む。
【０１７６】
ステップＳ３３０では、データ収集期間Ｐ３に収集されたデータが有効データであるか、ＮＧデータであるかが記録される。データ収集期間Ｐ３に収集されたデータはＮＧデータであると判断されたので、「ＮＧデータ」と記録される。また、「ＮＧデータ」と記録された場合、データ収集期間Ｐ３に収集されたデータに関する他の情報も記録される。他の情報として、以下の２つの情報Ｅ１およびＥ２が記録される。
【０１７７】
（Ｅ１）データ収集期間Ｐ３におけるスライス番号ｂ＝１〜１０
（Ｅ２）データ収集期間Ｐ３におけるｋ空間のライン番号ｖ＝２
【０１７８】
これらの情報を記録した後、ステップＳ３３１に進む。
【０１７９】
データ収集期間Ｐ３が終了した時点では、呼吸周期ｒ＝１およびライン番号ｖ＝２であるので（図１５の時刻ｔ3参照）、ステップＳ３３１からステップＳ３３２に進む。ステップＳ３３２において、呼吸周期ｒ＝２、スライス番号ｂ＝１１、ライン番号ｖ＝２、データ収集済スライス枚数ＮＳ＝０に設定され、ステップＳ３２３に戻る。
【０１８０】
ステップＳ３２３に戻ると、次のデータ収集期間Ｐ４が開始される。ステップＳ３２４〜Ｓ３２７のループが繰返し実行されることにより、１１番目〜２０番目のスライスから、ｋ空間の２番目のラインのデータが収集され、データ収集期間Ｐ４が終了する（図１５の時刻ｔ4参照）。
【０１８１】
データ収集期間Ｐ４が終了すると、ステップＳ３２９に進む。
【０１８２】
ステップＳ３２９では、データ収集期間Ｐ４の終了時刻ｔ4における呼吸信号ＳrのレベルＬ４と、しきい値ＴＨと、が比較される。Ｌ４とＴＨとを比較すると、Ｌ４＜ＴＨである。したがって、データ収集期間Ｐ４は、呼吸による体動の大きい期間を含んでいないと判断され、データ収集期間Ｐ４に収集されたデータは、呼吸による体動の影響が少なく画像再構成に使用することができる有効データであると判断される。その後、ステップＳ３３０に進み、データ収集期間Ｐ４に収集されたデータは「有効データ」と記録され、ステップＳ３３１に進む。
【０１８３】
データ収集期間Ｐ４が終了した時点では、ｒ＝Ｒ（＝２）およびｖ＝２であるので（図１５の時刻ｔ4参照）、ステップＳ３３１から、ステップＳ３３３、ステップＳ３３４に進む。ステップＳ３３４において、呼吸周期ｒ＝１、スライス番号ｂ＝１、ライン番号ｖ＝３、データ収集済スライス枚数ＮＳ＝０に設定され、ステップＳ３２３に戻る。
【０１８４】
ステップＳ３２３に戻ると、次のデータ収集期間Ｐ５が開始される。ステップＳ３２４〜Ｓ３２７のループが繰返し実行されることにより、１番目〜１０番目のスライスから、ｋ空間の３番目のラインのデータが収集され、データ収集期間Ｐ５が終了する（図１５の時刻ｔ5参照）。
【０１８５】
データ収集期間Ｐ５が終了すると、ステップＳ３２９に進む。
【０１８６】
ステップＳ３２９では、データ収集期間Ｐ５の終了時刻ｔ5における呼吸信号ＳrのレベルＬ５と、しきい値ＴＨと、が比較される。Ｌ５とＴＨとを比較すると、Ｌ５＜ＴＨである。したがって、データ収集期間Ｐ５は、呼吸による体動の大きい期間を含んでいないと判断され、データ収集期間Ｐ５に収集されたデータは、呼吸による体動の影響が少なく画像再構成に使用することができる有効データであると判断される。その後、ステップＳ３３０に進み、データ収集期間Ｐ５に収集されたデータは「有効データ」と記録され、ステップＳ３３１に進む。
【０１８７】
データ収集期間Ｐ５が終了した時点では、ｒ＝１であるので（図１５の時刻ｔ5参照）、ステップＳ３３１から、ステップＳ３３２に進む。ステップＳ３３２において、呼吸周期ｒ＝２、スライス番号ｂ＝１１、ライン番号ｖ＝３、データ収集済スライス枚数ＮＳ＝０に設定され、ステップＳ３２３に戻る。
【０１８８】
ステップＳ３２３に戻ると、次のデータ収集期間Ｐ６が開始される。ステップＳ３２４〜Ｓ３２７のループが繰返し実行されることにより、１１番目〜２０番目のスライスから、ｋ空間の３番目のラインのデータが収集され、データ収集期間Ｐ６が終了する（図１５の時刻ｔ6参照）。
【０１８９】
データ収集期間Ｐ６が終了すると、ステップＳ３２９に進む。
【０１９０】
ステップＳ３２９では、データ収集期間Ｐ６の終了時刻ｔ6における呼吸信号ＳrのレベルＬ６と、しきい値ＴＨと、が比較される。Ｌ６とＴＨとを比較すると、Ｌ６＜ＴＨである。したがって、データ収集期間Ｐ６は、呼吸による体動の大きい期間を含んでいないと判断され、データ収集期間Ｐ６に収集されたデータは、呼吸による体動の影響が少なく画像再構成に使用することができる有効データであると判断される。その後、ステップＳ３３０に進み、データ収集期間Ｐ６に収集されたデータは「有効データ」と記録され、ステップＳ３３１に進む。
【０１９１】
データ収集期間Ｐ６が終了した時点では、ｒ＝２およびｖ＝３であるので（図１５の時刻ｔ6参照）、ステップＳ３３１から、ステップＳ３３３、ステップＳ３３４に進む。ステップＳ３３４において、呼吸周期ｒ＝１、スライス番号ｂ＝１、ライン番号ｖ＝４、データ収集済スライス枚数ＮＳ＝０に設定され、ステップＳ３２３に戻る。
【０１９２】
ステップＳ３２３に戻ると、上述した手順で、ステップＳ３２３〜ステップＳ３３４のループが繰返し実行される。この結果、１番目〜２０番目のスライスから、ｋ空間の各ラインのデータが順に収集され、最後の繰返時間ＴＲに、２つのデータ収集期間Ｐ２５５およびＰ２５６（図１５参照）が設けられる。
【０１９３】
データ収集期間Ｐ２５５およびＰ２５６に収集されたデータは、いずれも有効データであると判断され（図１５参照）、ステップＳ３３０において、「有効データ」と記録される。データ収集期間Ｐ２５６が終了すると、呼吸周期ｒ＝Ｒ（＝２）およびライン番号ｖ＝Ｖ0（＝１２８）であるので、ステップＳ３３１から、ステップＳ３３３に進み、ｖ＝Ｖ0と判断され、撮像が終了する。尚、第３の実施形態では、データ収集期間Ｐ３およびＰ１９５に収集されたデータがＮＧデータと判断されている。
【０１９４】
ステップＳ３２３〜ステップＳ３３４のループを繰返し実行することによって、撮像期間ＡＣＱの間に、データ収集期間Ｐ１〜Ｐ２５６が設けられ、その結果、全てのスライスから、ｋ空間の各ラインに対応したデータが収集される。
【０１９５】
しかし、撮像期間ＡＣＱに収集されたデータの中には、体動の影響を大きく受けており画像再構成には適さないＮＧデータも含まれている（撮像期間ＡＣＱのデータ収集期間Ｐ３およびＰ１９５に収集されたデータ）。ＮＧデータが発生した場合、第１の実施形態では、撮像期間ＡＣＱにデータの取直しを実行したが（図７参照）、第３の実施形態では、撮像期間ＡＣＱにデータの取直しを実行せずに、取直しを実行するか否かの判断を、ＭＲＩ装置１００の操作者に任せている。取直しを実行するか否かの判断を、ＭＲＩ装置１００の操作者ができるように、第３の実施形態では、ＭＲＩ装置１００は、ステップＳ３３３において、ｖ＝Ｖ0（＝１２８）と判断した後、以下のように動作する。
【０１９６】
ＭＲＩ装置１００は、ステップＳ３２１〜ステップＳ３３４のループを抜け出した後、ステップＳ３３５（図１４参照）に進む。
【０１９７】
ステップＳ３３５では、撮像期間ＡＣＱに収集されたデータの中に、ＮＧデータが存在しているか否かが判断される。ＮＧデータが存在していないと判断した場合、ループが終了し、一方、ＮＧデータが存在していると判断した場合、ステップＳ３３６に進む。第３の実施形態では、図１５に示すように、２つのＮＧデータ（データ収集期間Ｐ３およびＰ１９５）が発生している。したがって、ステップＳ３３５において、ＮＧデータがありと判断され、ステップＳ３３６に進む。
【０１９８】
ステップＳ３３６では、ＮＧデータを取り直すか否かをＭＲＩ装置１００の操作者が判断するのに必要な情報（以下、「取直し判断情報」と呼ぶ）を算出する。ここでは、取直し判断情報として、ＮＧ発生率Ｒngと、取直し撮像時間Ｔrと、を算出する。
【０１９９】
ＮＧ発生率Ｒngとは、有効データとＮＧデータとの合計データ数Ｎに対するＮＧデータ数ｎの割合である。即ち、Ｒng＝ｎ／Ｎである。第３の実施形態では、Ｎ＝２５６であり、ｎ＝２（データ収集期間Ｐ３のデータと、データ収集期間Ｐ１９５のデータ）である。したがって、Ｒng＝２／２５６となる。
【０２００】
また、取直し撮像時間Ｔrとは、データの取直しに必要な時間である。ここでは、データ収集期間Ｐ３およびＰ１９５に収集されたデータを取り直すのに必要な時間である。ただし、第３の実施形態では、繰返時間ＴＲを一定にするため、データ収集期間Ｐ３に収集されたデータを取り直す場合には、データ収集期間Ｐ４に収集されたデータも取り直される。同様に、データ収集期間Ｐ１９５に収集されたデータを取り直す場合には、データ収集期間Ｐ１９６に収集されたデータも取り直される。したがって、取直し撮像時間Ｔrは、データ収集期間Ｐ３およびＰ４に収集されたデータを取り直すのに必要な繰返時間ＴＲと、データ収集期間Ｐ１９５およびＰ１９６に収集されたデータを取り直すのに必要な繰返時間ＴＲとの合計である。
【０２０１】
ＮＧ発生率Ｒngと取直し撮像時間Ｔrとを算出した後、ステップＳ３３７に進み、ＮＧ発生率Ｒngと取直し撮像時間Ｔrとを、表示装置１０６（図１参照）に表示する。
【０２０２】
図１７は、表示装置１０６の表示画面の一例である。
【０２０３】
表示画面には、ＮＧ発生率Ｒngと取直し撮像時間Ｔrが表示され、表示画面の右下には、取直しボタンＢ１と終了ボタンＢ２が表示されている。このような表示を行った後、ステップＳ３３８に進む。
【０２０４】
一方、操作者は、表示装置１０６に表示されたＮＧ発生率Ｒngと取直し撮像時間Ｔrから、データ取り直すか否かを判断する。操作者が取直し不要であると判断した場合、操作者は終了ボタンＢ２をクリックし、取り直すと判断した場合、操作者は取直しボタンＢ１をクリックする。
【０２０５】
ステップＳ３３８では、ＭＲＩ装置１００は、操作者が取直しボタンＢ１又は終了ボタンＢ２をクリックするのを待つ。操作者が終了ボタンＢ２をクリックした場合、ＭＲＩ装置１００は、「データの取直しをせず」と決定し、再撮像期間を設けることなく、被検体１０の撮像が終了する。一方、操作者が取直しボタンＢ１をクリックした場合、ＭＲＩ装置１００は、「データを取り直す」と決定し、再撮像期間ＡＣＱ’（図１６参照）を設ける。再撮像期間ＡＣＱ’が設けられる場合、ステップＳ３３９に進む。
【０２０６】
ステップＳ３３９において、ＭＲＩ装置１００は、再撮像期間ＡＣＱ’にデータを取り直す。再撮像期間ＡＣＱ’は、４つのデータ収集期間Ｐ１’、Ｐ２’、Ｐ３’、およびＰ４’を含んでいる。データ収集期間Ｐ１’およびＰ２’は、それぞれデータ収集期間Ｐ３およびＰ４に収集されたデータを取り直すための期間である。データ収集期間Ｐ３’およびＰ４’は、それぞれデータ収集期間Ｐ１９５およびＰ１９６に収集されたデータを取り直すための期間である。
【０２０７】
ステップＳ３３９では、先ず、データ収集期間Ｐ１’において、データ収集期間Ｐ３に収集されたデータ（スライス番号ｂ＝１〜１０、ｋ空間のライン番号ｖ＝２）が取り直される。データ収集期間Ｐ１’にデータを取り直した後、ステップＳ３４０に進む。
【０２０８】
ステップＳ３４０では、データ収集期間Ｐ１’の終了時刻ｔ1’における呼吸信号ＳrのレベルＬ１’と、しきい値ＴＨと、を比較する。この比較結果から、データ収集期間Ｐ１’に収集されたデータが、画像再構成に使用することができる有効データであるのか、それとも画像再構成に使用することができないＮＧデータであるかを判断する。Ｌ１’とＴＨとを比較すると、Ｌ１’＜ＴＨである。したがって、データ収集期間Ｐ１’は、呼吸による体動の大きい期間を含んでいないと判断され、データ収集期間Ｐ１’に収集されたデータは、呼吸による体動の影響が少なく画像再構成に使用することができる有効データであると判断される。この判断をした後、ステップＳ３４１に進み、データ収集期間Ｐ１’に収集されたデータは、「有効データ」と記録される。その後、ステップＳ３４２に進む。
【０２０９】
ステップＳ３４２では、呼吸周期ｒ＝Ｒ（＝２）であるか否かが判断される。データ収集期間Ｐ１’が終了した時点では、ｒ＝１であるので（図１６参照）、ステップＳ３３９に戻る。
【０２１０】
ステップＳ３３９に戻ると、データ収集期間Ｐ２’において、データ収集期間Ｐ４に収集されたデータ（スライス番号ｂ＝１１〜２０、ｋ空間のライン番号ｖ＝２）が取り直される。データ収集期間Ｐ２’にデータを取り直した後、ステップＳ３４０に進む。
【０２１１】
ステップＳ３４０では、データ収集期間Ｐ２’の終了時刻ｔ2’における呼吸信号ＳrのレベルＬ２’と、しきい値ＴＨと、を比較する。Ｌ２’とＴＨとを比較すると、Ｌ２’＜ＴＨである。したがって、データ収集期間Ｐ２’は、呼吸による体動の大きい期間を含んでいないと判断され、データ収集期間Ｐ２’に収集されたデータは、呼吸による体動の影響が少なく画像再構成に使用することができる有効データであると判断される。この判断をした後、ステップＳ３４１に進み、データ収集期間Ｐ２’に収集されたデータは、「有効データ」と記録される。その後、ステップＳ３４２に進む。
【０２１２】
データ収集期間Ｐ２’が終了した時点では、ｒ＝Ｒ（＝２）であるので（図１６参照）、ステップＳ３４３に進む。
【０２１３】
ステップＳ３４３では、取直しが完了したか否かが判断される。ここでは、データ収集期間Ｐ３およびＰ４に収集されたデータの取直しは終了したが、データ収集期間Ｐ１９５およびＰ１９６に収集されたデータの取直しは終了していない。そこで、ステップＳ３３９に戻る。
【０２１４】
以下、同様に、ステップＳ３３９〜ステップＳ３４３が実行される。データ収集期間Ｐ３’では、Ｌ３’＞ＴＨである。したがって、データ収集期間Ｐ３’は、呼吸による体動の大きい期間Ｍを含んでおり、データ収集期間Ｐ３’に収集されたデータは「ＮＧデータ」と記録される。また、データ収集期間Ｐ４’では、Ｌ４’＜ＴＨである。したがって、データ収集期間Ｐ４’は、呼吸による体動の大きい期間を含んでおらず、データ収集期間Ｐ４’に収集されたデータは、「有効データ」と記録される。
【０２１５】
データ収集期間Ｐ３’およびＰ４’においてデータの取直しが完了すると、全てのＮＧデータを取り直したと判断され、ステップＳ３４３からステップＳ３３５に戻る。
【０２１６】
再撮像期間ＡＣＱ’のデータ収集期間Ｐ１’に取り直されたデータは有効データであるので、撮像期間ＡＣＱのデータ収集期間Ｐ３に収集されたデータの取直しに成功している。しかし、再撮像期間ＡＣＱ’のデータ収集期間Ｐ３’に取り直されたデータはＮＧデータであるので、撮像期間ＡＣＱのデータ収集期間Ｐ１９５に収集されたデータの取直しは失敗している。したがって、ステップＳ３３５において、ＮＧデータが残っていると判断され、ステップＳ３３６に進む。
【０２１７】
ステップＳ３３６では、ステップＳ３４１の記録結果を考慮して、図１７に示すＮＧ発生率Ｒngを更新する。再撮像期間ＡＣＱ’のデータ収集期間Ｐ３’に取り直したデータはＮＧデータであるが、一方、再撮像期間ＡＣＱ’のデータ収集期間Ｐ１’、Ｐ２’、およびＰ４’に取り直したデータは有効データである。したがって、撮像期間ＡＣＱが終了した時点では、２つのＮＧデータが存在していたが（図１５参照）、再撮像期間ＡＣＱ’を実行したことによって、ＮＧデータは１つになる。この結果、ＮＧ発生率Ｒngは、１／２５６となる。
【０２１８】
また、再撮像期間ＡＣＱ’のデータ収集期間Ｐ１’およびＰ２’に取り直したデータは有効データであるので、データを再度取り直す必要はない。したがって、取直し撮像時間Ｔrも更新される。
【０２１９】
ＮＧ発生率Ｒngと取直し撮像時間Ｔrとを更新した後、ステップＳ３３７に進み、更新されたＮＧ発生率Ｒngと取直し撮像時間Ｔrとを、表示装置１０６（図１参照）に表示する。その後、ステップＳ３３８に進む。
【０２２０】
一方、操作者は、更新されたＮＧ発生率Ｒngと取直し撮像時間Ｔrから、データを取り直すか否かを判断する。操作者が取直し不要であると判断した場合、操作者は終了ボタンＢ２をクリックし、取り直すと判断した場合、操作者は取直しボタンＢ１をクリックする。
【０２２１】
ステップＳ３３８では、ＭＲＩ装置１００は、操作者が取直しボタンＢ１又は終了ボタンＢ２をクリックするのを待つ。操作者が終了ボタンＢ２をクリックした場合、ＭＲＩ装置１００は、「データの取直しをせず」と決定し、ステップＳ３３５〜ステップＳ３４３のループを抜け出し、被検体１０の撮像が終了する。一方、操作者が取直しボタンＢ１をクリックした場合、ＭＲＩ装置１００は、「データを取り直す」と決定し、ステップＳ３３９に進み、データ収集期間Ｐ３’およびＰ４’に収集されたデータを取り直す。
【０２２２】
ステップＳ３３９において、データを取り直した後、上記のように、ステップＳ３４０、ステップＳ３４１、ステップＳ３４２、およびステップＳ３４３に進み、ステップＳ３４３で取直し完了したと判断されると、ステップＳ３３５に戻り、ステップＳ３３５〜ステップＳ３４３が繰り返し行われる。
【０２２３】
ステップＳ３３５〜ステップＳ３４３が繰返し実行されている間に、操作者が終了ボタンＢ２をクリックした場合、又はステップＳ３３５において、ＮＧデータがないと判断された場合、撮像が終了する。
【０２２４】
第３の実施形態では、第１の実施形態と同様に、撮像期間ＡＣＱにおいて、各データ収集期間の終了時刻における呼吸信号ＳrのレベルＬrと、しきい値ＴＨと、が比較される。しかし、第３の実施形態では、Ｌr＞ＴＨと判定しても、データが直ちに取り直されるわけではなく、全てのスライスからｋ空間の各ラインに対応したデータが一通り収集される。データが一通り収集された後、表示装置１０６に取直し判断情報（ＮＧ発生率Ｒng、および取直し撮像時間Ｔr）が表示される。操作者は、表示装置１０６に表示された情報から、取直しするか否かを決定することができる。したがって、操作者が取直し不要であると判断した場合、再撮像は行われないので、余分な再撮像時間を費やすことなく、すぐに画像再構成を行うことができる。一方、操作者が取直し必要であると判断した場合、データが取り直されるので、高品質なＭＲ画像を取得することができる。
【０２２５】
尚、第３の実施形態では、ＮＧデータが発生しても、取直し判断情報（ＮＧ発生率Ｒng、および取直し撮像時間Ｔr）をすぐに表示するのではなく、全てのスライスからｋ空間の各ラインに対応したデータを一通り収集した後に、取直し判断情報を表示している（図１７参照）。しかし、ＮＧデータが発生した時点で取直し判断情報を表示（又は更新）してもよい。
【０２２６】
４．第４の実施形態
第４の実施形態の説明に当たっては、第３の実施形態との相違点を中心に説明する。
【０２２７】
第４の実施形態において、ＭＲＩ装置のハードウェア構成は、第３の実施形態とほぼ同じであるが、計算機１０７の機能ブロックが異なっている。
【０２２８】
図１８は、第４の実施形態における計算機１０７の機能ブロック図の一例である。
【０２２９】
第３の実施形態と第４の実施形態との相違点は、スライス選択部３３とカウント部３４との間に、終了時刻記録部４１が設けられている点である。終了時刻記録部４１は、データ収集期間の中の各スライス毎の終了時刻を記録する。
【０２３０】
次に、第４の実施形態におけるＭＲＩ装置１００の処理フローについて説明する。
【０２３１】
第４の実施形態におけるＭＲＩ装置１００の処理フローは、図３に示すフローチャートを用いて説明することができる。即ち、第４の実施形態でも、ステップＳ１１において、被検体１０の呼吸による体動が大きいか小さいかの基準となるしきい値を決定する。しきい値の決定方法は、図４を参照しながら説明した方法と同じである。
【０２３２】
ステップＳ１１終了後、ステップＳ１２においてデータを収集し、ステップＳ１３において、画像を表示する。しかし、第４の実施形態では、ステップＳ１２の処理フローが、第１〜第３の実施形態とは異なっている。以下に、第４の実施形態におけるステップＳ１２の処理について、詳しく説明する。
【０２３３】
図１９および図２０は、ステップＳ１２の具体的な処理を表すフローチャートであり、図２１および図２２は、図１９および図２０のフローチャートを実行することにより、各スライスからどのようなタイミングでデータが収集されるのかを説明する図である。
【０２３４】
以下に、図１９および図２０のフローチャートについて、図２１および図２２を参照しながら説明する。
【０２３５】
ステップＳ４２１〜ステップＳ４２９の動作は、第３の実施形態の図１３に示すフローチャートのステップＳ３２１〜ステップＳ３２８の動作とほとんど同じである。しかし、第４の実施形態は、ステップＳ４２４とステップＳ４２６との間に、終了時刻ｔeを記録するステップＳ４２５を有している点が、第３の実施形態とは異なっている。
【０２３６】
ステップＳ４２５は、ｂ番目のスライスからｋ空間のｖ番目のラインのデータの収集が終了した時刻ｔeを記録するステップである。第４の実施形態では、ステップＳ４２５が設けられているので、各スライスからｋ空間のｖ番目のラインのデータの収集が終了するたびに、データ収集の終了時刻ｔeが記録される。データ収集期間Ｐ１には、１番目〜１０番目のスライスからデータが収集されるので、１番目〜１０番目の各スライスからデータが収集されるたびに、ステップＳ４２５において、終了時刻ｔe＝ｔ11、ｔ12、・・・ｔ19、ｔ20が記録される（図２１参照）。終了時刻ｔe＝ｔ20が記録された後、ステップＳ４２７に進み、データ収集済スライス枚数ＮＳ＝ｎ（＝１０）と判断されると、ステップＳ４２９に進み、データ収集期間Ｐ１が終了する（図２１の時刻ｔ20参照）。
【０２３７】
データ収集期間Ｐ１が終了すると、ステップＳ４３０に進む。
【０２３８】
また、第４の実施形態では、呼吸信号Ｓrが、しきい値ＴＨよりも小さい値から、しきい値ＴＨに到達したときの時刻（以下、「しきい値到達時刻」とよぶ）Ｔth（＝Ｔ１、Ｔ２、Ｔ３、・・・Ｔ２５６）が算出されている。ステップＳ４３０では、データ収集期間のスライス毎の終了時刻ｔeと、しきい値到達時刻Ｔthとが、比較される。この比較結果から、データ収集期間に収集されたデータが、画像再構成に使用することができる有効データであるのか、それとも画像再構成に使用することができないＮＧデータであるかを判断する。ここでは、データ収集期間Ｐ１が終了しているので、ステップＳ４３０において、データ収集期間Ｐ１のスライス毎の終了時刻ｔe（＝ｔ11、ｔ12、・・・ｔ19、ｔ20）と、しきい値到達時刻Ｔ１と、が比較される。
【０２３９】
終了時刻ｔe（＝ｔ11、ｔ12、・・・ｔ19、ｔ20）と、しきい値到達時刻Ｔ１とを比較する場合、最初に、終了時刻ｔ20としきい値到達時刻Ｔ１とが比較される。ｔ20とＴ１とを比較すると、ｔ20＜Ｔ１である。これは、呼吸信号Ｓrがしきい値ＴＨを超える前に、データ収集期間Ｐ１が終了したことを意味する。したがって、データ収集期間Ｐ１は、呼吸による体動の大きい期間を含んでいないと判断される。この場合、比較結果は「ＯＫ」となり、データ収集期間Ｐ１に収集されたデータは、呼吸による体動の影響が少なく画像再構成に使用することができる有効データであると判断される。その後、ステップＳ４３１に進み、データ収集期間Ｐ１に収集されたデータは「有効データ」であると記録される。この記録をした後、ステップＳ４３２に進む。
【０２４０】
ステップＳ４３２〜ステップＳ４３５の動作は、第３の実施形態の図１３に示すフローチャートのステップＳ３３１〜ステップＳ３３４の動作と同じである。データ収集期間Ｐ１が終了した時点では、ｒ＝１であるので（図２１参照）、まだ、ｒ＝Ｒ（＝２）には到達していない。したがって、ステップＳ４３２からステップＳ４３３に進み、ライン番号ｖ＝１、呼吸周期ｒ＝２、スライス番号ｂ＝１１、データ収集済スライス枚数ＮＳ＝０に設定され、ステップＳ４２３に戻る。
【０２４１】
ステップＳ４２３に戻ると、次のデータ収集期間Ｐ２が開始される。ステップＳ４２４〜ステップＳ４２８のループが繰返し実行されることにより、１１番目〜２０番目のスライスから、ｋ空間の１番目のラインのデータが収集され（図２１参照）、データ収集期間Ｐ２が終了する。
【０２４２】
データ収集期間Ｐ２が終了すると、ステップＳ４３０に進む。
【０２４３】
ステップＳ４３０では、データ収集期間Ｐ２のスライス毎の終了時刻ｔe（＝ｔ21、ｔ22、・・・ｔ29、ｔ30）と、しきい値到達時刻Ｔ２と、が比較される。この比較結果から、データ収集期間Ｐ２に収集されたデータが、画像再構成に使用することができる有効データであるのか、それとも画像再構成に使用することができないＮＧデータであるかが判断される。
【０２４４】
データ収集期間Ｐ２では、終了時刻ｔ30は、しきい値到達時刻Ｔ２より早い。したがって、データ収集期間Ｐ２は、呼吸による体動の大きい期間を含んでいないと判断される。この場合、比較結果は「ＯＫ」となり、データ収集期間Ｐ２に収集されたデータは、呼吸による体動の影響が少なく画像再構成に使用することができる有効データであると判断される。その後、ステップＳ４３１に進み、データ収集期間Ｐ２に収集されたデータは「有効データ」と記録され、ステップＳ４３２に進む。
【０２４５】
データ収集期間Ｐ２が終了した時点では、呼吸周期ｒ＝Ｒ（＝２）およびライン番号ｖ＝１であるので（図２１の時刻ｔ30参照）、ステップＳ４３２から、ステップＳ４３４、ステップＳ４３５に進む。ステップＳ４３５において、ライン番号ｖ＝２、呼吸周期ｒ＝１、スライス番号ｂ＝１、データ収集済スライス枚数ＮＳ＝０に設定され、ステップＳ４２３に戻る。
【０２４６】
ステップＳ４２３に戻ると、次のデータ収集期間Ｐ３が開始される。ステップＳ４２４〜ステップＳ４２８が繰返し実行されることにより、１番目〜１０番目のスライスから、ｋ空間の２番目のラインのデータが収集され（図２１参照）、データ収集期間Ｐ３が終了する。
【０２４７】
データ収集期間Ｐ３が終了すると、ステップＳ４３０に進む。
【０２４８】
ステップＳ４３０では、データ収集期間Ｐ３のスライス毎の終了時刻ｔe（＝ｔ31、ｔ32、・・・ｔ39、ｔ40）と、しきい値到達時刻Ｔ３と、が比較され、データ収集期間Ｐ３に収集されたデータが有効データであるかＮＧデータであるかが判断される。
【０２４９】
データ収集期間Ｐ３では、終了時刻ｔ40は、しきい値到達時刻Ｔ３よりも遅い。これは、データ収集期間Ｐ３が終了する前に、呼吸信号Ｓrがしきい値ＴＨを超えたことを意味する。したがって、データ収集期間Ｐ３は、呼吸による体動の大きい期間Ｍを含むと判断される。この場合、比較結果は「ＮＧ」となり、データ収集期間Ｐ３に収集されたデータは、呼吸による体動の影響を大きく受けており画像再構成に適さないＮＧデータであると判断される。
【０２５０】
また、ＮＧデータであると判断された場合、他の終了時刻ｔ31〜ｔ39と、しきい値到達時刻Ｔ３との比較も行う。他の終了時刻ｔ31〜ｔ39と、しきい値到達時刻Ｔ３とを比較する場合、最初に、終了時刻ｔ39としきい値到達時刻Ｔ３とが比較される。ｔ39とＴ３とを比較すると、ｔ39＜Ｔ３である。これは、呼吸信号Ｓrがしきい値ＴＨを超える前に、９番目のスライスからｋ空間の２番目のラインのデータが収集されたことを意味する。したがって、比較結果を「ＯＫ」とする。残りの終了時刻ｔ31〜ｔ38についても、ｔ31〜ｔ38＜Ｔ３である。このように、終了時刻と、しきい値到達時刻Ｔ４とを比較した後、ステップＳ４３１に進む。
【０２５１】
ステップＳ４３１では、データ収集期間Ｐ３に収集されたデータが、有効データであるか、ＮＧデータであるかが記録される。データ収集期間Ｐ３に収集されたデータはＮＧデータであると判断されたので、「ＮＧデータ」と記録される。また、「ＮＧデータ」と記録される場合、データ収集期間Ｐ３に収集されたデータに関する他の情報も記録される。他の情報として、以下の３つの情報Ｅ１、Ｅ２、およびＥ３が記録される。
【０２５２】
（Ｅ１）データ収集期間Ｐ３におけるスライス番号ｂ＝１〜１０
（Ｅ２）データ収集期間Ｐ３におけるｋ空間のライン番号ｖ＝２
（Ｅ３）データ収集期間Ｐ３において、比較結果が「ＮＧ」であるスライス番号ｂ＝１０。
【０２５３】
これらの情報を記録した後、ステップＳ４３２に進む。
【０２５４】
データ収集期間Ｐ３が終了した時点では、呼吸周期ｒ＝１であるので（図２１の時刻ｔ40参照）、ステップＳ４３２から、ステップＳ４３３に進む。ライン番号ｖ＝２、呼吸周期ｒ＝２、スライス番号ｂ＝１１、データ収集済スライス枚数ＮＳ＝０に設定され、ステップＳ４２３に戻る。
【０２５５】
ステップＳ４２３に戻ると、次のデータ収集期間Ｐ４が開始される。ステップＳ４２４〜ステップＳ４２８が繰返し実行されることにより、１１番目〜２０番目のスライスから、ｋ空間の２番目のラインのデータが収集され（図２１参照）、データ収集期間Ｐ４が終了する。
【０２５６】
データ収集期間Ｐ４が終了すると、ステップＳ４３０に進む。
【０２５７】
ステップＳ４３０では、データ収集期間Ｐ４のスライス毎の終了時刻ｔe（＝ｔ41、ｔ42、・・・ｔ49、ｔ50）と、しきい値到達時刻Ｔ４と、が比較され、データ収集期間Ｐ４に収集されたデータが有効データであるかＮＧデータであるかが判断される。
【０２５８】
データ収集期間Ｐ４では、終了時刻ｔ50は、しきい値到達時刻Ｔ４より早い。したがって、データ収集期間Ｐ４は、呼吸による体動の大きい期間を含んでいないと判断される。この場合、比較結果は「ＯＫ」となり、データ収集期間Ｐ４に収集されたデータは、呼吸による体動の影響が少なく画像再構成に使用することができる有効データであると判断される。その後、ステップＳ４３１に進み、データ収集期間Ｐ４に収集されたデータは「有効データ」と記録され、ステップＳ４３２に進む。
【０２５９】
データ収集期間Ｐ４が終了した時点では、呼吸周期ｒ＝Ｒ（＝２）およびライン番号ｖ＝２であるので（図２１の時刻ｔ50参照）、ステップＳ４３２から、ステップＳ４３４、ステップＳ４３５に進む。ステップＳ４３５において、ライン番号ｖ＝３、呼吸周期ｒ＝１、スライス番号ｂ＝１、データ収集済スライス枚数ＮＳ＝０に設定され、ステップＳ４２３に戻る。
【０２６０】
ステップＳ４２３に戻ると、上述した手順で、ステップＳ４２３〜ステップＳ４３５のループが繰返し実行される。この結果、１番目〜２０番目のスライスから、ｋ空間の各ラインのデータが順に収集され、最後の繰返時間ＴＲに、２つのデータ収集期間Ｐ２５５およびＰ２５６（図２１参照）が設けられる。
【０２６１】
データ収集期間Ｐ２５５およびＰ２５６に収集されたデータは、いずれも有効データであると判断され（図２１参照）、ステップＳ４３１において、「有効データ」と記録される。データ収集期間Ｐ２５６が終了すると、呼吸周期ｒ＝Ｒ（＝２）およびライン番号ｖ＝Ｖ0（＝１２８）であるので、ステップＳ４３２から、ステップＳ４３４に進み、ｖ＝Ｖ0と判断され、撮像が終了する。尚、第４の実施形態では、データ収集期間Ｐ３およびＰ１９５に収集されたデータがＮＧデータと判断されている。
【０２６２】
ステップＳ４２１〜ステップＳ４３５のループを繰返し実行することによって、撮像期間ＡＣＱの間に、データ収集期間Ｐ１〜Ｐ２５６が設けられ、その結果、全てのスライスから、ｋ空間の各ラインに対応したデータが収集される。
【０２６３】
しかし、撮像期間ＡＣＱに収集されたデータの中には、体動の影響を大きく受けており画像再構成には適さないＮＧデータも含まれている（データ収集期間Ｐ３およびＰ１９５に収集されたデータ）。ＮＧデータが発生した場合、第４の実施形態では、第３の実施形態と同様に、撮像期間ＡＣＱにデータの取直しを実行せずに、取直しを実行するか否かの判断を、ＭＲＩ装置１００の操作者に任せている。取直しを実行するか否かの判断を、ＭＲＩ装置１００の操作者ができるように、第４の実施形態では、ＭＲＩ装置１００は、ステップＳ４３４において、ｖ＝Ｖ0（＝１２８）と判断した後、以下のように動作する。
【０２６４】
ＭＲＩ装置１００は、ステップＳ４３４において、ｖ＝Ｖ0（＝１２８）と判断すると、ステップＳ４３６に進む（図２０参照）。図２０に示すステップＳ４３６〜ステップ４４４の動作は、第３の実施形態のステップＳ３３５〜ステップＳ３４３（図１４参照）で説明した動作とほぼ同様であるが、いくつか相違点があるので、これらの相違点を主に説明する。
【０２６５】
ステップＳ４３６では、ＮＧデータがあるか否かを判断する。
【０２６６】
第４の実施形態では、データ収集期間Ｐ３およびＰ１９５に収集されたデータがＮＧデータと判断されているので（図２１参照）、ステップＳ４３６において、ＮＧデータありと判断され、ステップＳ４３７に進む。
【０２６７】
ステップＳ４３７では、取直し判断情報が算出され、ステップＳ４３８において、取直し判断情報が表示される。ただし、第４の実施形態では、第３の実施形態とは異なり、表示装置１０６（図１参照）に３つの取直し判断情報が表示される。次に、この３つの取直し判断情報について説明する。
【０２６８】
図２３は、３つの取直し判断情報を表示する表示画面の一例である。
【０２６９】
３つの取直し判断情報のうち、２つは、第３の実施形態と同様に、ＮＧ発生率Ｒngおよび取直し撮像時間Ｔrである（図１７参照）。しかし、第４の実施形態では、表示装置１０６に、ＮＧ発生率Ｒngおよび取直し撮像時間Ｔrに加えて、ＮＧスライス枚数Ｎngも表示する。
【０２７０】
ＮＧスライス枚数Ｎngとは、１番目〜２０番目のスライスのうち、比較結果が「ＮＧ」になったスライスの枚数である。第４の実施形態では、データ収集期間Ｐ３およびP１９５において、スライス番号ｂ＝１０の場合に比較結果が「ＮＧ」である。したがって、２０枚のスライスのうち、１枚のスライス（ｂ＝１０）のみが、比較結果「ＮＧ」となっている。このため、ＮＧスライス枚数Ｎngは、Ｎng＝１と表示される。
【０２７１】
ＭＲＩ装置１００の操作者は、この３つの取直し判断情報から、再撮像を行うか否かを判断することができる。操作者が終了ボタンＢ２をクリックした場合、ステップＳ４３６〜ステップＳ４４４のループを抜け出し、撮像が終了する。一方、操作者が取直しボタンＢ１をクリックした場合は、ステップＳ４３９からステップＳ４４０に進む。
【０２７２】
ステップＳ４４０において、ＭＲＩ装置１００は、再撮像期間ＡＣＱ’（図２２参照）にデータを取り直す。再撮像期間ＡＣＱ’は、４つのデータ収集期間Ｐ１’、Ｐ２’、Ｐ３’、およびＰ４’を含んでいる。データ収集期間Ｐ１’およびＰ２’は、それぞれデータ収集期間Ｐ３およびＰ４に収集されたデータを取り直すための期間である。データ収集期間Ｐ３’およびＰ４’は、それぞれデータ収集期間Ｐ１９５およびＰ１９６に収集されたデータを取り直すための期間である。
【０２７３】
ステップＳ４４０では、先ず、データ収集期間Ｐ１’において、データ収集期間Ｐ３に収集されたデータ（スライス番号ｂ＝１〜１０、ｋ空間のライン番号ｖ＝２）が取り直される。データ収集期間Ｐ１’にデータを取り直した後、ステップＳ４４１に進む。
【０２７４】
ステップＳ４４１では、データ収集期間Ｐ１’のスライス毎の終了時刻ｔe’（＝ｔ11’、ｔ12’、・・・ｔ19’、ｔ20’）と、しきい値到達時刻Ｔ１’と、が比較される。この比較結果から、データ収集期間Ｐ１’に収集されたデータが、画像再構成に使用することができる有効データであるのか、それとも画像再構成に使用することができないＮＧデータであるかが判断される。データ収集期間Ｐ１’では、終了時刻ｔ20’は、しきい値到達時刻Ｔ１’より早い。したがって、データ収集期間Ｐ１’は、呼吸による体動の大きい期間を含んでいないと判断される。この場合、比較結果は「ＯＫ」となり、データ収集期間Ｐ１’に収集されたデータは、呼吸による体動の影響が少なく画像再構成に使用することができる有効データであると判断される。その後、ステップＳ４４２に進み、データ収集期間Ｐ１’に収集されたデータは「有効データ」と記録され、ステップＳ４４３に進む。
【０２７５】
ステップＳ４４３では、呼吸周期ｒ＝Ｒ（＝２）であるか否かが判断される。データ収集期間Ｐ１’が終了した時点では、ｒ＝１であるので（図２２参照）、ステップＳ４４０に戻る。
【０２７６】
ステップＳ４４０に戻ると、データ収集期間Ｐ２’において、データ収集期間Ｐ４に収集されたデータ（スライス番号ｂ＝１１〜２０、ｋ空間のライン番号ｖ＝２）が取り直される。データ収集期間Ｐ２’にデータを取り直した後、ステップＳ４４１に進む。
【０２７７】
ステップＳ４４１では、データ収集期間Ｐ２’のスライス毎の終了時刻ｔe’（＝ｔ21’、ｔ22’、・・・ｔ29’、ｔ30’）と、しきい値到達時刻Ｔ２’と、が比較される。
【０２７８】
データ収集期間Ｐ２’では、終了時刻ｔ30’は、しきい値到達時刻Ｔ２’より早い。したがって、データ収集期間Ｐ２’は、呼吸による体動の大きい期間を含んでいないと判断される。この場合、比較結果は「ＯＫ」となり、データ収集期間Ｐ２’に収集されたデータは、呼吸による体動の影響が少なく画像再構成に使用することができる有効データであると判断される。その後、ステップＳ４４２に進み、データ収集期間Ｐ２’に収集されたデータは「有効データ」と記録され、ステップＳ４４３に進む。
【０２７９】
データ収集期間Ｐ２’が終了した時点では、ｒ＝Ｒ（＝２）であるので（図２２参照）、ステップＳ４４４に進む。
【０２８０】
ステップＳ４４４では、取直しが完了したか否かが判断される。ここでは、データ収集期間Ｐ３およびＰ４に収集されたデータの取直しは終了したが、データ収集期間Ｐ１９５およびＰ１９６に収集されたデータの取直しは終了していない。したがって、ステップＳ４４０に戻る。
【０２８１】
ステップＳ４４０に戻ると、データ収集期間Ｐ３’において、データ収集期間Ｐ１９５に収集されたデータ（スライス番号ｂ＝１〜１０、ｋ空間のライン番号ｖ＝９８）が取り直される。データ収集期間Ｐ３’にデータを取り直した後、ステップＳ４４１に進む。
【０２８２】
ステップＳ４４１では、データ収集期間Ｐ３’のスライス毎の終了時刻ｔe’（＝ｔ31’、ｔ32’、・・・ｔ39’、ｔ40’）と、しきい値到達時刻Ｔ３’と、が比較される。
【０２８３】
ｔ40’とＴ３’とを比較すると、ｔ40’＞Ｔ３’である。したがって、データ収集期間Ｐ３’は、呼吸による体動の大きい期間Ｍを含んでいる。この場合、比較結果は「ＮＧ」となり、データ収集期間Ｐ３’に収集されたデータは「ＮＧデータ」と判断される。次に、終了時刻ｔ39’としきい値到達時刻Ｔ３’とを比較すると、ｔ39’＜Ｔ３’である。したがって、比較結果を「ＯＫ」とし、ステップＳ４４２に進む。
【０２８４】
ステップＳ４４２では、データ収集期間Ｐ３’に収集されたデータが、有効データであるか、ＮＧデータであるかが記録される。データ収集期間Ｐ３’に収集されたデータはＮＧデータであると判断されたので、「ＮＧデータ」と記録される。また、「ＮＧデータ」と記録される場合、データ収集期間Ｐ３’に収集されたデータに関する他の情報も記録される。他の情報として、以下の３つの情報Ｅ１、Ｅ２、およびＥ３が記録される。
【０２８５】
（Ｅ１）データ収集期間Ｐ３’におけるスライス番号ｂ＝１〜１０
（Ｅ２）データ収集期間Ｐ３’におけるｋ空間のライン番号ｖ＝９８
（Ｅ３）データ収集期間Ｐ３’において、比較結果が「ＮＧ」であるスライス番号ｂ＝１０。
【０２８６】
これらの情報を記録した後、ステップＳ４４３に進む。
【０２８７】
データ収集期間Ｐ３’が終了した時点では、ｒ＝１であるので（図２２参照）、ステップＳ４４０に戻る。
【０２８８】
ステップＳ４４０に戻ると、データ収集期間Ｐ４’において、データ収集期間Ｐ１９６に収集されたデータ（スライス番号ｂ＝１１〜２０、ｋ空間のライン番号ｖ＝９８）が取り直される。データ収集期間Ｐ４’にデータを取り直した後、ステップＳ４４１に進む。
【０２８９】
データ収集期間Ｐ４’では、終了時刻ｔ40’は、しきい値到達時刻Ｔ４’より早い。したがって、データ収集期間Ｐ４’は、呼吸による体動の大きい期間を含んでいないと判断される。この場合、比較結果は「ＯＫ」となり、データ収集期間Ｐ４’に収集されたデータは、呼吸による体動の影響が少なく画像再構成に使用することができる有効データであると判断される。その後、ステップＳ４４２に進み、データ収集期間Ｐ４’に収集されたデータは「有効データ」と記録され、ステップＳ４４３に進む。
【０２９０】
データ収集期間Ｐ２’が終了した時点では、ｒ＝Ｒ（＝２）であるので（図２２参照）、ステップＳ４４４に進む。
【０２９１】
再撮像期間ＡＣＱ’の間にデータ収集期間Ｐ１’〜Ｐ４’が実行されたので、撮像期間ＡＣＱ（図２１参照）のデータ収集期間Ｐ３、Ｐ４、Ｐ１９５、およびＰ１９６に収集された全てのデータの取直しが終了している。したがって、ステップＳ４４４では、取直しが完了したと判断され、ステップＳ４３６に戻る。
【０２９２】
再撮像期間ＡＣＱ’のデータ収集期間Ｐ１’に取り直されたデータは有効データであるので、撮像期間ＡＣＱのデータ収集期間Ｐ３に収集されたデータの取直しに成功している。しかし、再撮像期間ＡＣＱ’のデータ収集期間Ｐ３’に取り直されたデータはＮＧデータであるので、撮像期間ＡＣＱのデータ収集期間Ｐ１９５に収集されたデータの取直しは失敗している。したがって、ステップＳ４３６において、ＮＧデータが残っていると判断され、ステップＳ４３７に進む。
【０２９３】
ステップＳ４３７では、ステップＳ４４２の記録結果を考慮して、図２３に示すＮＧ発生率Ｒngを更新する。再撮像期間ＡＣＱ’のデータ収集期間Ｐ３’に取り直したデータはＮＧデータであるが、一方、再撮像期間ＡＣＱ’のデータ収集期間Ｐ１’、Ｐ２’、およびＰ３’に取り直したデータは有効データである。したがって、撮像期間ＡＣＱが終了した時点では、２つのＮＧデータが存在していたが（図２１参照）、再撮像期間ＡＣＱ’を実行したことによって、ＮＧデータは１つになる。この結果、ＮＧ発生率Ｒngは、１／２５６に更新される。
【０２９４】
また、再撮像期間ＡＣＱ’のデータ収集期間Ｐ１’およびＰ２’に取り直したデータは有効データであるので、データを再度取り直す必要はない。したがって、取直し撮像時間Ｔrも更新される。
【０２９５】
ただし、再撮像期間ＡＣＱ’のデータ収集期間Ｐ３’に取り直したデータはＮＧデータであるので、２０枚のスライスのうち、１枚のスライス（ｂ＝１０）は、比較結果「ＮＧ」である。したがって、ＮＧスライス枚数Ｎngは更新されず、Ｎng＝１のままであ。
【０２９６】
ＮＧ発生率Ｒngと取直し撮像時間Ｔrとを更新した後、ステップＳ４３８に進み、更新されたＮＧ発生率Ｒngと取直し撮像時間Ｔrとを、表示装置１０６（図１参照）に表示する。その後、ステップＳ４３９に進む。
【０２９７】
ステップＳ４３９では、ＭＲＩ装置１００は、操作者が取直しボタンＢ１又は終了ボタンＢ２をクリックするのを待つ。操作者が終了ボタンＢ２をクリックすると、ＭＲＩ装置１００は、「データの取直しをせず」と決定し、ステップＳ４３６〜ステップＳ４４４のループを抜け出し、被検体１０の撮像が終了する。一方、操作者が取直しボタンＢ１をクリックすると、ＭＲＩ装置１００は、「データを取り直す」と決定し、ステップＳ４４０に進み、データ収集期間Ｐ３’およびＰ４’に収集されたデータを取り直す。
【０２９８】
ステップＳ４４０において、データを取り直した後、ステップＳ４４１、ステップＳ４４２、ステップＳ４４３、およびステップＳ４４４に進む。ステップＳ４４４で取直し完了したと判断されると、ステップＳ４３６に戻り、ステップＳ４３６〜ステップＳ４４４が繰り返し行われる。
【０２９９】
ステップＳ４３６〜ステップＳ４４４が繰返し実行されている間に、操作者が終了ボタンＢ２をクリックした場合、又はステップＳ４３６においてＮＧデータがないと判断された場合、撮像が終了する。
【０３００】
第４の実施形態では、比較結果が「ＮＧ」のスライス番号が記録されているので（ステップＳ４３１）、取直し判断情報として、ＮＧスライス枚数Ｎngも表示することができる。したがって、ＭＲＩ装置１００の操作者は、第３の実施形態の場合よりも、多くの情報を用いて、再撮像を行うか否かを判断することができる。
【０３０１】
また、第４の実施形態では、ＮＧデータが発生しても、取直し判断情報（ＮＧ発生率Ｒng、取直し撮像時間Ｔr、ＮＧスライス枚数Ｎng）をすぐに表示するのではなく、全てのスライスからｋ空間の各ラインに対応したデータを一通り収集した後に、取直し判断情報を表示している。しかし、ＮＧデータが発生した時点で取直し判断情報を表示（又は更新）してもよい。
【０３０２】
尚、取直し判断情報として、ＭＲ画像を用いることもできる。以下に、取直し判断情報として、ＭＲ画像を用いるやり方について、第５の実施形態で説明する。
【０３０３】
５．第５の実施形態
第５の実施形態は、第４の実施形態とほぼ同じであるので、第４の実施形態との相違点を主に説明する。
【０３０４】
第５の実施形態のフローチャートは、第４の実施形態のフローチャート（図１９および図２０参照）と同じである。しかし、第５の実施形態では、第４の実施形態と異なり、ステップＳ４３８において、表示装置１０６（図１参照）に、４つの取直し判断情報を表示する。４つの取直し判断情報のうち、３つの取直し判断情報は、第４の実施形態と同様に、ＮＧ発生率Ｒng、取直し撮像時間Ｔr、およびＮＧスライス枚数Ｎngである（図２３参照）。しかし、第５の実施形態では、これらの３つの取直し判断情報に加えて、撮像部位１０ａ（図１参照）のＭＲ画像も表示する。
【０３０５】
図２４は、表示装置１０６の表示画面の一例である。
【０３０６】
表示画面には、ＮＧ発生率Ｒng、取直し撮像時間Ｔr、ＮＧスライス枚数Ｎngの他に、撮像部位のＭＲ画像５０が表示されている。また、表示画面の左下には、取直しボタンＢ１と終了ボタンＢ２が表示されている。このような表示を行った後、ステップＳ４３９に進む。
【０３０７】
一方、操作者は、表示されたＮＧ発生率Ｒng、取直し撮像時間Ｔr、ＮＧスライス枚数Ｎng、および撮像部位のＭＲ画像５０から、データ取り直すか否かを判断する。操作者が取直し不要であると判断した場合、操作者は終了ボタンＢ２をクリックし、取り直すと判断した場合、操作者は取直しボタンＢ１をクリックする。
【０３０８】
ステップＳ４３９では、ＭＲＩ装置１００は、操作者が取直しボタンＢ１又は終了ボタンＢ２をクリックするのを待つ。操作者が終了ボタンＢ２をクリックすると、ＭＲＩ装置１００は、「データの取直しをせず」と決定し、再撮像期間を設けることなく、被検体１０の撮像が終了する。一方、操作者が取直しボタンＢ１をクリックすると、ＭＲＩ装置１００は、「データを取り直す」と決定し、ステップＳ４４０に進む。ステップＳ４４０〜ステップＳ４４４の動作は、第４の実施形態の場合と同様である。
【０３０９】
第５の実施形態では、表示装置１０６に、撮像部位１０ａのＭＲ画像５０も表示されるので、ＭＲＩ装置１００の操作者は、データの取直しが必要か否かを、より正確に判断することができる。
【０３１０】
また、第５の実施形態では、データ収集期間の終了時刻ｔeと、しきい値到達時刻Ｔthと、を比較することによって、呼吸による体動の大きい期間が含まれているか否かを判断している。しかし、収集期間の終了時刻ｔeと、しきい値到達時刻Ｔthと、を比較する代わりに、第３の実施形態のように、呼吸信号ＳrのレベルＬrと、しきい値ＴＨと、を比較してもよい。
【０３１１】
尚、第１〜第５の実施形態では、ベローズを使用して呼吸情報を取得している。しかし、ベローズを使用せずに、ナビゲータ法を使用して呼吸情報を取得してもよい。以下に、ナビゲータ法を使用して呼吸情報を取得する場合について、第６の実施形態で説明する。
【０３１２】
６．第６の実施形態
第６の実施形態の説明に当たっては、第１の実施形態との相違点を中心に説明する。
【０３１３】
第６の実施形態におけるＭＲＩ装置１００の処理フローは、図３に示すフローチャートを用いて説明することができる。
【０３１４】
先ず、ステップＳ１１において、ナビゲータシーケンス（例えば、９０度パルスと１８０度パルスとを交差させるラインスキャン型のシーケンスや、２Ｄ選択励起型のシーケンス）を連続的に実行し、被検体１０からナビゲータエコーを収集する。ナビゲータエコーを収集した後、被検体１０の呼吸による体動が大きいか小さいかの基準となるしきい値を決定する。
【０３１５】
ステップＳ１１終了後、ステップＳ１２においてデータを収集し、ステップＳ１３において、画像を表示する。しかし、第６の実施形態では、ステップＳ１２の処理フローが、第１〜第５の実施形態とは異なっている。以下に、第６の実施形態におけるステップＳ１２の処理について、詳しく説明する。
【０３１６】
図２５および図２６は、ステップＳ１２の具体的な処理を表すフローチャートであり、図２７は、図２５および図２６のフローチャートを実行することにより、各スライスからどのようなタイミングでデータが収集されるのかを説明する図である。
【０３１７】
以下に、図２５および図２６のフローチャートについて、図２７を参照しながら説明する。
【０３１８】
ステップＳ６２１およびＳ６２２の動作は、第１の実施形態のフローチャートのステップＳ１２１およびＳ１２２（図６参照）の動作と同じである。ステップＳ６２２の後、ステップＳ６２３に進む。
【０３１９】
ステップＳ６２３では、各ナビゲータ期間に、ナビゲータエコーを収集し、呼吸データＮr（＝Ｎ１、Ｎ２、・・・）を算出する。ステップＳ６２３では、先ず、１番目のナビゲータ期間ＮＡＶ#1の呼吸データＮrを算出する。１番目のナビゲータ期間ＮＡＶ#1では、Ｎr＝Ｎ１である。呼吸データＮ１を算出した後、ステップＳ６２４に進む。
【０３２０】
ステップＳ６２４では、算出した呼吸データＮrがしきい値ＴＨよりも小さいか否かが判断される。Ｎr＝ＴＨ又はＮr＜ＴＨの場合は、ステップＳ６２３に戻る。Ｎr＞ＴＨの場合は、ステップＳ６２５に進む。１番目のナビゲータ期間ＮＡＶ#1の呼吸データＮ１はしきい値ＴＨよりも小さいので、Ｎ１＜ＴＨである。したがって、ステップＳ６２５に進む。
【０３２１】
ステップＳ６２５では、一つ前のナビゲータ期間の呼吸データＮr-1が存在しているか否かが判断される。一つ前のナビゲータ期間の呼吸データＮr-1が存在している場合、ステップＳ６２６に進み、一つ前のナビゲータ期間の呼吸データＮr-1が存在していない場合、ステップＳ６２３に戻る。１番目のナビゲータ期間ＮＡＶ#1が終了した時点では、一つ前のナビゲータ期間の呼吸データＮr-1はまだ存在していないので、ステップＳ６２３に戻る。
【０３２２】
ステップＳ６２３に戻ると、２番目のナビゲータ期間ＮＡＶ#2に、ナビゲータエコーが収集され、呼吸データＮr＝Ｎ２が算出される。Ｎ２＜ＴＨであるので、ステップＳ６２５に進む。
【０３２３】
ステップＳ６２５では、一つ前のナビゲータ期間の呼吸データＮr-1が存在しているか否かが判断される。２番目のナビゲータ期間ＮＡＶ#2が終了した時点では、一つ前のナビゲータ期間ＮＡＶ#1の呼吸データＮ１が存在している。したがって、ステップＳ６２６に進む。
【０３２４】
ステップＳ６２６では、一つ前のナビゲータ期間の呼吸データＮr-1が、Ｎr-1＞ＴＨであるか否かが判断される。呼吸データＮr-1が、Ｎr-1＞ＴＨである場合は、ステップＳ６２７に進み、データ収集期間が開始される。一方、呼吸データＮr-1が、Ｎr-1＝ＴＨ又はＮr-1＜ＴＨの場合は、ステップＳ６２３に戻る。一つ前のナビゲータ期間ＮＡＶ#1の呼吸データＮr-1（＝Ｎ１）は、Ｎ１＜ＴＨである。したがって、ステップＳ６２３に戻る。
【０３２５】
ステップＳ６２３に戻ると、３番目のナビゲータ期間ＮＡＶ#3に、ナビゲータエコーが収集され、呼吸データＮr＝Ｎ３が算出される。Ｎ３＞ＴＨであるので、ステップＳ６２３に戻る。
【０３２６】
以下、同様に、ステップＳ６２３〜ステップＳ６２６のループが繰返し実行され、各ナビゲータ期間ＮＡＶ#4、ＮＡＶ#5、ＮＡＶ#6に、ナビゲータエコーが収集され、呼吸データＮ４、Ｎ５、Ｎ６が算出される。６番目のナビゲータ期間ＮＡＶ#6の呼吸データＮ６は、Ｎ６＜ＴＨであり、一つ前の５番目のナビゲータ期間ＮＡＶ#5の呼吸データＮ５は、Ｎ５＞ＴＨである。したがって、ステップＳ６２４から、ステップＳ６２５、ステップＳ６２６へと進み、ステップＳ６２６において、Ｎ５＞ＴＨであると判断され、ステップＳ６２７に進む。
【０３２７】
ステップＳ６２７〜ステップＳ６３２の動作は、第１の実施形態のフローチャートのステップＳ１２３〜ステップＳ１２８（図６参照）の動作と同じである。したがって、ナビゲータ期間ＮＡＶ#6の直後に、データ収集期間Ｐ１が開始する。データ収集期間Ｐ１には、１番目〜１０番目のスライスから、ｋ空間の１番目のラインのデータが収集される。
【０３２８】
データ収集期間Ｐ１が終了すると、ステップＳ６３３に進む。
【０３２９】
ステップＳ６３３において、データ収集期間の終了直後にナビゲータ期間ＮＡＶが設けられる。ナビゲータ期間ＮＡＶにナビゲータエコーが収集され、呼吸データＮrが算出される。ここでは、データ収集期間Ｐ１が終了したので、ナビゲータ期間ＮＡＶ#7にナビゲータエコーが収集され、呼吸データＮr（＝Ｎ７）が算出される。呼吸データＮr（＝Ｎ７）が算出された後、ステップＳ６３４に進む。
【０３３０】
ステップＳ６３４では、各データ収集期間の直後の呼吸データＮrと、しきい値ＴＨと、が比較される。この比較結果から、データ収集期間に収集されたデータが、画像再構成に使用することができる有効データであるのか、それとも画像再構成に使用することができないＮＧデータであるかを判断する。ここでは、データ収集期間Ｐ１が終了しているので、データ収集期間Ｐ１の直後の呼吸データＮr（＝Ｎ７）と、しきい値ＴＨと、が比較される。
【０３３１】
Ｎ７とＴＨとを比較すると、図２７に示すように、Ｎ７はＴＨよりも小さく、このため、Ｎ７＜ＴＨと判断される。Ｎ７＜ＴＨは、呼吸レベルがしきい値ＴＨを超える前に、データ収集期間Ｐ１が終了したことを意味する。したがって、データ収集期間Ｐ１は、呼吸による体動の大きい期間を含んでいないと判断される。この場合、データ収集期間Ｐ１に収集されたデータは、呼吸による体動の影響が少なく画像再構成に使用することができる有効データであると判断される。この判断をした後、ステップＳ６３５に進み、データ収集期間Ｐ１に収集されたデータは「有効データ」と記録される。その後、ステップＳ６３６（図２６参照）に進む。
【０３３２】
ステップＳ６３６〜ステップＳ６４１の動作は、第１の実施形態のフローチャートのステップＳ１３１〜ステップＳ１３６（図６参照）と同じである。データ収集期間Ｐ１が終了した時点では、ｒ＝１であるので（図２７参照）、まだ、ｒ＝Ｒ（＝２）には到達していない。したがって、ステップＳ６３６からステップＳ６３７に進み、呼吸周期ｒ＝２、スライス番号ｂ＝１１、ライン番号ｖ＝１、データ収集済スライス枚数ＮＳ＝０に設定され、ステップＳ６２３（図２５参照）に戻る。
【０３３３】
ステップＳ６２３に戻ると、ステップＳ６２３〜ステップＳ６２６のループが繰返し実行され、８番目のナビゲータ期間ＮＡＶ#8〜１１番目のナビゲータ期間ＮＡＶ#11にナビゲータエコーが収集され、呼吸データが算出される。１１番目のナビゲータ期間ＮＡＶ#11の呼吸データＮ１１は、Ｎ１１＜ＴＨであり、一つ前の１０番目のナビゲータ期間ＮＡＶ#10の呼吸データＮ１０は、Ｎ１０＞ＴＨである。したがって、ステップＳ６２４から、ステップＳ６２５、ステップＳ６２６へと進み、ステップＳ６２６において、Ｎ１０＞ＴＨであると判断され、ステップＳ６２７に進む。
【０３３４】
ステップＳ６２７に進むと、ナビゲータ期間ＮＡＶ#11の直後に、データ収集期間Ｐ２が開始される。
【０３３５】
データ収集期間Ｐ２が開始すると、ステップＳ６２８〜ステップＳ６３１が繰返し実行され、１１番目〜２０番目のスライスから、ｋ空間の１番目のラインのデータが収集され（図２７参照）、データ収集期間Ｐ２が終了する。データ収集期間Ｐ２が終了した後、ステップＳ６３３に進み、データ収集期間Ｐ２の直後に、ナビゲータ期間ＮＡＶ#12が設けられる。ナビゲータ期間ＮＡＶ#12にナビゲータエコーが収集され、呼吸データＮr（＝Ｎ１２）が算出される。呼吸データＮr（＝Ｎ１２）が算出された後、ステップＳ６３４に進む。
【０３３６】
ステップＳ６３４では、データ収集期間Ｐ２の直後の呼吸データＮr（＝Ｎ１２）と、しきい値ＴＨと、が比較される。
【０３３７】
Ｎ１２とＴＨとを比較すると、図２７に示すように、Ｎ１２はＴＨよりも小さく、このため、Ｎ１２＜ＴＨと判断される。Ｎ１２＜ＴＨは、呼吸レベルがしきい値ＴＨを超える前に、データ収集期間Ｐ２が終了したことを意味する。したがって、データ収集期間Ｐ２は、呼吸による体動の大きい期間を含んでいないと判断される。この場合、データ収集期間Ｐ２に収集されたデータは、呼吸による体動の影響を受けておらず画像再構成に使用することができる有効データであると判断される。この判断をした後、ステップＳ６３５に進み、データ収集期間Ｐ２に収集されたデータは「有効データ」と記録される。その後、ステップＳ６３６（図２６参照）に進む。
【０３３８】
データ収集期間Ｐ２が終了した時点では、呼吸周期ｒ＝Ｒ（＝２）であるので、ステップＳ６３８に進む。
【０３３９】
ステップＳ６３８では、繰返時間ＴＲに収集されたデータにＮＧデータが存在しているか否かが判断される。繰返時間ＴＲのデータ収集期間Ｐ１およびＰ２に収集されたデータは、図２７に示すように、いずれも有効データと判断されている。したがって、ステップＳ６３８では、ＮＧデータは存在していないと判断され、ステップＳ６４０に進む。
【０３４０】
ステップＳ６４０では、ｖ＝Ｖ0（＝１２８）であるか否かが判断される。データ収集期間Ｐ２が終了した時点ではｖ＝１であるので（図２７参照）、ステップＳ６４１に進み、呼吸周期ｒ＝１、スライス番号ｂ＝１１、ライン番号ｖ＝２、データ収集済スライス枚数ＮＳ＝０に設定され、ステップＳ６２３に戻る。
【０３４１】
ステップＳ６２３に戻ると、ステップＳ６２３〜ステップＳ６２６が繰返し実行され、１３番目のナビゲータ期間ＮＡＶ#13〜１６番目のナビゲータ期間ＮＡＶ#16にナビゲータエコーが収集され、呼吸データが算出される。１６番目のナビゲータ期間ＮＡＶ#16の呼吸データＮ１６は、Ｎ１６＜ＴＨであり、一つ前の１５番目のナビゲータ期間ＮＡＶ#15の呼吸データＮ１５は、Ｎ１５＞ＴＨである。したがって、ステップＳ６２４から、ステップＳ６２５、ステップＳ６２６へと進み、ステップＳ６２６において、Ｎ１５＞ＴＨであると判断され、ステップＳ６２７に進む。
【０３４２】
ステップＳ６２７では、１６番目のナビゲータ期間ＮＡＶ#16の直後に、データ収集期間Ｐ３が開始される。
【０３４３】
データ収集期間Ｐ３が開始すると、ステップＳ６２８〜ステップＳ６３１が繰返し実行され、１番目〜１０番目のスライスから、ｋ空間の２番目のラインのデータが収集され（図２７参照）、データ収集期間Ｐ３が終了する。
【０３４４】
データ収集期間Ｐ３が終了した後、ステップＳ６３３に進み、データ収集期間Ｐ３の直後に、ナビゲータ期間ＮＡＶ#17が設けられる。ナビゲータ期間ＮＡＶ#17にナビゲータエコーが収集され、呼吸データＮr（＝Ｎ１７）が算出される。呼吸データＮr（＝Ｎ１７）が算出された後、ステップＳ６３４に進む。
【０３４５】
ステップＳ６３４では、データ収集期間Ｐ３の直後の呼吸データＮr（＝Ｎ１７）と、しきい値ＴＨと、が比較される。
【０３４６】
Ｎ１７とＴＨとを比較すると、図２７に示すように、Ｎ１７はＴＨよりも大きく、このため、Ｎ１７＞ＴＨと判断される。Ｎ１７＞ＴＨは、データ収集期間Ｐ３が終了する前に、呼吸レベルがしきい値ＴＨを超えたことを意味する。したがって、データ収集期間Ｐ３は、呼吸による体動の大きい期間Ｍを含んでいると判断される。この場合、データ収集期間Ｐ３に収集されたデータを画像再構成のデータに使用してしまうと、ＭＲ画像上の体動アーチファクトが大きくなる恐れがある。そこで、データ収集期間Ｐ３に収集されたデータは、呼吸による体動の影響を大きく受けており画像再構成に使用することができないＮＧデータであると判断される。この判断をした後、ステップＳ６３５に進み、データ収集期間Ｐ３に収集されたデータは、「ＮＧデータ」と記録される。「ＮＧデータ」と記録した後、ステップＳ６３６に進む。
【０３４７】
データ収集期間Ｐ３が終了した時点では、呼吸周期ｒ＝１であるので（図２７参照）、ステップＳ６３６からステップＳ６３７に進み、呼吸周期ｒ＝２、スライス番号ｂ＝１１、ライン番号ｖ＝２、データ収集済スライス枚数ＮＳ＝０に設定され、ステップＳ６２３に戻る。
【０３４８】
ステップＳ６２３に戻ると、ステップＳ６２３〜ステップＳ６２６が繰返し実行され、１８番目のナビゲータ期間ＮＡＶ#18および１９番目のナビゲータ期間ＮＡＶ#19にナビゲータエコーが収集され、呼吸データが算出される。１９番目のナビゲータ期間ＮＡＶ#19の呼吸データＮ１９は、Ｎ１９＜ＴＨであり、一つ前の１８番目のナビゲータ期間ＮＡＶ#18の呼吸データＮ１８は、Ｎ１８＞ＴＨである。したがって、ステップＳ６２４から、ステップＳ６２５、ステップＳ６２６へと進み、ステップＳ６２６において、Ｎ１８＞ＴＨであると判断され、ステップＳ６２７に進む。
【０３４９】
ステップＳ６２７では、１９番目のナビゲータ期間ＮＡＶ#19の直後に、データ収集期間Ｐ４が開始される。
【０３５０】
データ収集期間Ｐ４が開始すると、ステップＳ６２８〜ステップＳ６３１が繰返し実行され、１１番目〜０番目のスライスから、ｋ空間の２番目のラインのデータが収集され（図２７参照）、データ収集期間Ｐ４が終了する。
【０３５１】
データ収集期間Ｐ４が終了した時点では、ｒ＝Ｒ（＝２）であるので（図２７参照）、ステップＳ６３６から、ステップＳ６３８に進む。
【０３５２】
ステップＳ６３８では、繰返時間ＴＲに収集されたデータにＮＧデータが存在しているか否かが判断される。繰返時間ＴＲの後半のデータ収集期間Ｐ４に収集されたデータは、図２７に示すように、有効データと判断されているが、繰返時間ＴＲの前半のデータ収集期間Ｐ３に収集されたデータは、ＮＧデータと判断されている。したがって、ステップＳ６３８では、ＮＧデータが存在していると判断される。データ収集期間Ｐ３に収集されたデータを画像再構成用のデータとして使用すると、ＭＲ画像上の体動アーチファクトが大きくなる恐れがある。そこで、データの取直しが実行される。データ収集期間Ｐ３およびＰ４を比較すると、データ収集期間Ｐ３に収集されたデータのみがＮＧデータであり、データ収集期間Ｐ４に収集されたデータは有効データである。しかし、繰返時間ＴＲを一定に保つ目的で、データ収集期間Ｐ３に収集されたデータだけでなく、データ収集期間Ｐ４に収集されたデータも、取り直される。データを取り直すため、ＮＧデータが存在していると判断された場合、ステップＳ６３８からステップＳ６３９に進む。
【０３５３】
ステップＳ６３９では、ライン番号ｖは更新されない。したがって、ライン番号ｖはｖ＝２のままである。また、呼吸周期ｒおよびスライス番号ｂが１にリセットされ、データ収集済スライス枚数ＮＳがゼロにリセットされる。ステップＳ６３９の後、ステップＳ６２３に戻る。
【０３５４】
ステップＳ６２３に戻ると、上述したように、ステップＳ６２３〜ステップＳ６４１が繰返し実行され、データ収集期間Ｐ５およびＰ６に、データが取り直される。
【０３５５】
図２７に示すように、データ収集期間Ｐ５およびＰ６に取り直されたデータは「有効データ」である。したがって、ステップＳ６３８において、ＮＧデータが存在しないと判断され、ステップＳ６４０に進む。データ収集期間Ｐ６が終了した時点では、ｖ＝２であるので、ステップＳ６４０から、ステップＳ６４１に進む。ステップＳ６４１において、呼吸周期ｒ＝１、スライス番号ｂ＝１、ライン番号ｖ＝３ライン番号ｖ＝３、データ収集済スライス枚数ＮＳ＝０に設定され、ステップＳ６２３に戻る。
【０３５６】
以下、同様に、ステップＳ６２３〜ステップＳ６４１のループを繰返し実行することによって、全てのスライスから、ｋ空間を埋めるのに必要な全データが収集される。
【０３５７】
全データを収集した後、画像が再構成される。
【０３５８】
第６の実施形態では、Ｎr＞ＴＨの場合、データ収集期間に、呼吸による体動の大きい期間が含まれていると判断され、データが取り直される。したがって、アーチファクトの低減されたＭＲ画像を取得することができる。
【０３５９】
第６の実施形態では、ステップＳ６２４〜ステップＳ６２６で使用されるしきい値ＴＨと、ステップＳ６３４で使用されるしきい値ＴＨは同じである。しかし、これらのしきい値は異なっていてもよい。
【０３６０】
尚、第１および第３の実施形態については、ベローズを使用して呼吸情報を取得する代わりに、ナビゲータ法を使用して呼吸情報を取得することができる。
【０３６１】
また、第１〜第６の実施形態では、被検体の撮像部位が複数のスライスに分けられている場合について説明されている。しかし、本発明は、被検体の撮像部位を複数のスラブに分けた場合でも適用することができる。
【０３６２】
更に、第１〜第６の実施形態では、各データ収集期間の間に、各スライスから、ｋ空間の１ライン分のデータを収集しているが、２以上のラインのデータを収集してもよい。
【図面の簡単な説明】
【０３６３】
【図１】本発明の第１の実施形態によるＭＲＩ装置１００のブロック図である。
【図２】計算機１０７の機能ブロック図の一例である。
【図３】第１の実施形態におけるＭＲＩ装置１００のフローチャートの一例である。
【図４】しきい値ＴＨの決定方法の一例の説明図である。
【図５】被検体１０の撮像部位１０ａを示す図である。
【図６】ステップＳ１２において実行されるデータ収集のフローチャートの一例である。
【図７】図６のフローチャートを実行することにより、各スライスからどのようなタイミングでデータが収集されるのかを説明する図である。
【図８】ｋ空間の概念図である。
【図９】第２の実施形態における計算機１０７の機能ブロック図の一例である。
【図１０】ステップＳ１２の具体的な処理を表すフローチャートである。
【図１１】図１０のフローチャートを実行することにより、各スライスからどのようなタイミングでデータが収集されるのかを説明する図である。
【図１２】第３の実施形態における計算機１０７の機能ブロック図の一例である。
【図１３】ステップＳ１２の具体的な処理を表すフローチャートである。
【図１４】ステップＳ１２の具体的な処理を表すフローチャートである。
【図１５】図１３および図１４のフローチャートを実行することにより、各スライスからどのようなタイミングでデータが収集されるのかを説明する図である。
【図１６】図１３および図１４のフローチャートを実行することにより、各スライスからどのようなタイミングでデータが収集されるのかを説明する図である。
【図１７】表示装置１０６の表示画面の一例である。
【図１８】第４の実施形態における計算機１０７の機能ブロック図の一例である。
【図１９】ステップＳ１２の具体的な処理を表すフローチャートである。
【図２０】ステップＳ１２の具体的な処理を表すフローチャートである。
【図２１】図１９および図２０のフローチャートを実行することにより、各スライスからどのようなタイミングでデータが収集されるのかを説明する図である。
【図２２】図１９および図２０のフローチャートを実行することにより、各スライスからどのようなタイミングでデータが収集されるのかを説明する図である。
【図２３】３つの取直し判断情報を表示する表示画面の一例である。
【図２４】表示装置１０６の表示画面の一例である。
【図２５】ステップＳ１２の具体的な処理を表すフローチャートである。
【図２６】ステップＳ１２の具体的な処理を表すフローチャートである。
【図２７】図２５および図２６のフローチャートを実行することにより、各スライスからどのようなタイミングでデータが収集されるのかを説明する図である。
【符号の説明】
【０３６４】
１０  被検体
１００  ＭＲＩ装置
１０１  マグネットアセンブリ
１０２  ベローズ
１０３  勾配コイル駆動回路
１０４  ＲＦ電力増幅器
１０５  前置増幅器
１０６  表示装置
１０７  計算機
１０８  シーケンサ
１０９  ゲート変調回路
１１０  ＲＦ発信回路
１１２  レシーバ
１１３  操作卓
１１４  ボア
【図１】
0005154214.tif 000002
【図２】
0005154214.tif 000003
【図３】
0005154214.tif 000004
【図４】
0005154214.tif 000005
【図５】
0005154214.tif 000006
【図６】
0005154214.tif 000007
【図７】
0005154214.tif 000008
【図８】
0005154214.tif 000009
【図９】
0005154214.tif 000010
【図１０】
0005154214.tif 000011
【図１１】
0005154214.tif 000012
【図１２】
0005154214.tif 000013
【図１３】
0005154214.tif 000014
【図１４】
0005154214.tif 000015
【図１５】
0005154214.tif 000016
【図１６】
0005154214.tif 000017
【図１７】
0005154214.tif 000018
【図１８】
0005154214.tif 000019
【図１９】
0005154214.tif 000020
【図２０】
0005154214.tif 000021
【図２１】
0005154214.tif 000022
【図２２】
0005154214.tif 000023
【図２３】
0005154214.tif 000024
【図２４】
0005154214.tif 000025
【図２５】
0005154214.tif 000026
【図２６】
0005154214.tif 000027
【図２７】
0005154214.tif 000028